(57)【特許請求の範囲】
【請求項１】
鉢増し用部材（３）は鉢増し筒（２）を構成し、植栽容器（１３）の容積を増やす為の部材であって、
鉢増し用部材（３）は、鉢増しをする為の部材であり、植栽容器（１３）の容積を増やす為の部材であって、前記鉢増し用部材（３）は、
前記植栽容器（１３）に収容された培養基材（３４）に載置または下側開口（４９）を埋設して設けられ、前記培養基材（３４）に設けられた状態で、上側と下側に開口部を備えた鉢増し筒（２）を構成し、前記鉢増し筒（２）は、複数の鉢増し用部材（３）が組み合わされて形成され、前記植栽容器（１３）の開口部である植栽開口（９）より上に、前記鉢増し用部材（３）の上側の開口部である上側開口（１２）が出た状態で設けられ、前記鉢増し筒（２）の内側には、培養基材（３４）が保持可能であり、
前記鉢増し用部材（３）は開閉型鉢増し用部材であり、
該開閉型鉢増し用部材は、扇開閉型鉢増し用部材であるか、または、芯材巻取り型鉢増し用部材であり、
前記開閉型鉢増し用部材は、開閉して連続的にサイズが可変の鉢増し用部材であり、
前記開閉型鉢増し用部材である前記扇開閉型鉢増し用部材は、略可撓性シート状あるいは略板状の部材が、２枚以上で重複して、摺動して略扇状に、回動可能に開閉する様にして互いに係止されており、前記２枚以上で重複して摺動して回動可能に互いに係止された前記鉢増し用部材（３）の幅、及び接続辺（３１）の角度を、摺動して回動可能であることによって変更可能であることによって、前記鉢増し用部材（３）が形成する前記鉢増し筒（２）の開口部である植栽開口（９）のサイズ、あるいは前記鉢増し筒（２）の外面の傾斜角度を調整可能であり、
前記開閉型鉢増し用部材である前記芯材巻取り型鉢増し用部材は、可撓性シートから成り、２以上の芯材（２２）を備え、前記芯材は、前記可撓性シートの少なくとも両端に設けられ、前記芯材（２２）が、培養基材（３４）に突き刺し可能に突き出ており、
前記鉢増し用部材（３）が、前記芯材（２２）に巻き取り可能であることによって、前記鉢増し用部材（３）は長さの調整が可能であり、前記芯材（２２）を培養基材に突き刺して用いられることを特徴とする鉢増し用部材（３）。  
【発明の詳細な説明】
【技術分野】
【０００１】
本発明は、植栽容器に植栽された植物の鉢増し用器具と植栽ユニットに関する。
【背景技術】
【０００２】
従来から植栽容器については様々な植栽容器が提案されている。しかし、例えば、植栽容器に植栽された植物の根が一杯になった際の、植え替えにおける鉢増し作業を、より、効率良く、低コストで自由度が高く実施することまで考慮された鉢増し用の器具は、皆無といえる。
【０００３】
また、植物を店頭等の装飾に用いたり家庭用のガーデニングとして楽しむ方が増えてきており、係る装飾には花壇、プランター、ハンギング等を利用した方法が用いられている。しかしながら、一般的な植栽容器では、鉢増し作業の際に新しい植栽容器を準備しなければならず、また、元の植栽容器が邪魔になるという問題や、そのままにしておくと、根詰まりして根腐れを起こして枯れ易いという問題点や、鉢やプランター等による装飾ではアレンジやバリエーションの範囲に限界があるという問題がある。
【０００４】
また、植栽容器を置きたいスペースに合わせた自由度の高い植栽容器や、個性溢れるお洒落な植物を用いた装飾を容易に施す技術が求められているといえる。
【０００５】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、前記問題の解決には至っていない。
【０００６】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、前記問題の解決には至っていない。
【０００７】
なお、本発明者は、特許文献３にて、発明の名称を「多用途用収納ユニット」とする技術で特許取得済みとなっている（特許文献３参照）。具体的には「可とう性を有する略シート状の素材から成る構成可撓部材によって全体を構成し、開口入口部は該開口入口部において二つ以上に分割された構成可撓部材からなり、前記開口入口部は、下シート上辺が、上シート対向部よりも長く、あるいは弛んだ状態で設けられることにより、該開口入口部を、閉じ難く開口可能であることにより、前記収納空間内の収納物によって、前記構成可撓部材の背面から圧力がかかっていても、前記開口入口部の開口状態を保持可能であることで長さの異なる前記収納物でも収納でき、収納物を出し入れし易く、収納空間と収納位置を自由に調整することを可能とした。」というものである。しかしながら、特許文献３に記載の発明は、穴に挿通して筒状の部材を備える構成であり、
課題においても構造においても、より広い応用、活用範囲、課題の解決、よりシンプルあるいは多彩な部材、構造、及び、より発展的な部材、構造とその製造方法を開発するといった課題も追及すべきといえる。
【先行技術文献】
【特許文献】
【０００８】
【特許文献１】特開２００１−１８６８１６号
【特許文献２】特開２０００−０４１８１４号
【特許文献３】特願２０１９−０７３２１７
【発明の概要】
【発明が解決しようとする課題】
【０００９】
植栽容器が根で一杯になった植物の鉢増し作業の容易さと自由度を高めると共に、コストダウンを図れ、廃棄物を減らし、また、植栽容器を載置するスペースに合わせた植栽スペースと植栽アレンジの自由度を高めることが可能な器具と、植栽ユニットを提供する。
【課題を解決するための手段】
【００１０】
本発明に係る鉢増しユニットは、鉢増し筒（２）と植栽容器（１３）からなり、鉢増し筒（２）は鉢増し用部材（３）から成り、植栽容器（１３）の容積を増やす為の部材であって、
鉢増し用部材（３）は、植物（Ｓ）の鉢増しをする為の部材であり、植栽容器（１３）の容積を増やす為の部材であって、前記鉢増し用部材（３）は、前記植栽容器（１３）、または前記植栽容器（１３）に収容された培養基材（３４）に設けられ、前記植栽容器（１３）、または前記植栽容器（１３）に収容された培養基材（３４）に設けられた状態で、前記鉢増し用部材（３）は、上側と下側に開口部を備えた鉢増し筒（２）であり、前記鉢増し筒（２）は、１つの鉢増し用部材（３）、または２以上の鉢増し用部材（３）が組み合わされて形成され、前記植栽容器（１３）の開口部である植栽開口（９）より上に、前記鉢増し用部材（３）の上側の開口部である上側開口（１２）が出た状態で設けられ、前記鉢増し筒（２）の内側には、培養基材（３４）が保持可能である構成を採用する。
【００１１】
本発明に係る鉢増しユニットは、鉢増し筒（２）と植栽容器（１３）からなり、鉢増し筒（２）は鉢増し用部材（３）から成り、植栽容器（１３）の容積を増やす為の部材であって、
前記鉢増し筒（２）は、１以上の略板状材、または１以上の網状材、または１以上の可撓性シートからなる鉢増し用部材（３）からなり、前記植栽容器（１３）、または前記植栽容器（１３）に収容された培養基材（３４）に設けられ、前記植栽容器（１３）、または前記植栽容器（１３）に収容された培養基材（３４）に設けられた状態で、前記鉢増し用部材（３）は、上側と下側に開口部を備えた略筒状の筒状体（４８）、または上側と下側に開口部を備えた略錐台形状の錐台筒（４１）を形成し、前記筒状体（４８）または錐台筒（４１）は鉢増し筒（２）であり、前記鉢増し筒（２）は、１つの鉢増し用部材（３）、または２以上の鉢増し用部材（３）が組み合わされて形成され、前記植栽容器（１３）の開口部である植栽開口（９）より上に、前記鉢増し筒（２）の上側の開口部である上側開口（１２）が出た状態で設けられ、前記鉢増し筒（２）の内側には、培養基材（３４）が保持可能である構成を採用する。
【００１２】
また、本発明は、前記植栽容器（１３）の植栽開口（９）に設けた前記鉢増し用部材（３）が、上側の開口部と下側の開口部が、略同等である筒状である構成を採用することもできる。
【００１３】
また、本発明は、前記植栽容器（１３）の植栽開口（９）に設けた前記鉢増し用部材（３）が、上側の開口部が下側の開口部より大きい面積を備えた錐台形状を逆さに設けた
構成を採用することもできる。
【００１４】
また、本発明は、前記鉢増し用部材（３）は、位置保持係止部（７）を備え、前記位置保持係止部（７）は、前記鉢増し用部材（３）が、他の鉢増し用部材（３）または植栽容器（１３）と係止する係止部である構成を採用することもできる。
【００１５】
また、本発明は、前記鉢増し筒（２）が、前記上側の開口部から下側の開口部にかけて、切れ込み部を備えるか、または摺動可能に重複可能に切れ込み部を備えているか、または１か所以上の分割部において、着脱可能に分割可能である構成を採用することもできる。
【００１６】
また、本発明は、前記鉢増し用部材（３）は、抜き掛け部（５）を備えた抜き掛け材（６）であり、前記抜き掛け部（５）は、前記鉢増し用部材（３）が、前記植物（Ｓ）の根 （３５）が絡んで引っ掛かる部分を備えることによって、前記鉢増し用部材（３）が抜けるのを抑止し、また、前記植物（Ｓ）を前記植栽容器（１３）から引き抜く際の引掛け部となる構成を採用することもできる。
【００１７】
また、本発明は、前記抜き掛け材（６）が備えた前記抜き掛け部（５）によって、２つの抜き掛け材（６）が連結されている構成を採用することもできる。
【００１８】
また、本発明は、前記鉢増し用部材（３）は、水溜め容部（８）を備えた構成を採用することもできる。
【００１９】
また、本発明は、前記鉢増し用ユニットは、支え足（１５）を備え、前記支え足（１５）は、前記鉢増し用部材（３）に設けられているか、あるいは前記植栽容器（１３）と前記鉢増し用部材（３）とに一部を挟持されて設けられている構成を採用することもできる。
【００２０】
また、本発明は、前記鉢増し用部材（３）が、前記植栽容器（１３）の開口部に、回動可能に設けられている構成を採用することもできる。
【００２１】
また、本発明に係る鉢増し用部材は、植物（Ｓ）の鉢増しをする為の部材であり、植栽容器（１３）の容積を増やす為の部材であって、前記鉢増し用部材（３）は、前記植栽容器（１３）、または前記植栽容器（１３）に収容された培養基材（３４）に設けられ、前記植栽容器（１３）、または前記植栽容器（１３）に収容された培養基材（３４）に設けられた状態で、前記鉢増し用部材（３）は、上側と下側に開口部を備えた鉢増し筒（２）を形成するか、または鉢増し筒（２）であり、前記鉢増し筒（２）は、１つの鉢増し用部材（３）、または２以上の鉢増し用部材（３）を組み合わせて形成し、前記植栽容器（１３）の開口部である植栽開口（９）より上に、前記鉢増し用部材（３）の上側の開口部が出た状態で設けられ、前記鉢増し筒（２）の内側には、培養基材（３４）が保持可能である構成を採用する。
【００２２】
また、本発明は、鉢増し用部材（３）は、植物（Ｓ）の鉢増しをする為の部材であり、鉢増し用部材（３）は、植栽容器（１３）の容積を増やす為の部材であって、前記鉢増し用部材（３）は、１以上の板状材または１以上の可撓性シートからなり、前記植栽容器（１３）、または前記植栽容器（１３）に収容された培養基材（３４）に設けられ、前記植栽容器（１３）、または前記植栽容器（１３）に収容された培養基材（３４）に設けられた状態で、前記鉢増し用部材（３）は、上側と下側に開口部を備えた略筒状の筒状体（４８）、または上側と下側に開口部を備えた略錐台形状の錐台筒（４１）を形成し、前記筒状体（４８）または錐台筒（４１）は鉢増し筒（２）であり、前記鉢増し筒（２）は、１つの鉢増し用部材（３）、または２以上の鉢増し用部材（３）が組み合わされて形成され、前記植栽容器（１３）の開口部である植栽開口（９）より上に、前記鉢増し用部材（３）の上側の開口部が出た状態で設けられ、前記鉢増し筒（２）の内側には、培養基材（３４）が保持可能である構成を採用することもできる。
【００２３】
また、本発明は、前記鉢増し用部材（３）の一部または全部が、板材である構成を採用することもできる。
【００２４】
また、本発明は、前記鉢増し用部材（３）が、可撓性のシートまたは可撓性の素材である構成を採用することもできる。
【００２５】
また、本発明は、複数の前記鉢増し用部材（３）の内、１以上の鉢増し用部材（３）が、三角形または略台形または略扇形の板を備えることによって、前記錐台形状を形成可能とすることを構成する板材である構成を採用することもできる。
【００２６】
また、本発明は、前記鉢増し用部材（３）が、弧状の辺を備え、１以上の該鉢増し用部材（３）を倒れ角度（３２）を備えて撓ませて略円形の植栽開口（９）に備えた際に、前記鉢増し用部材（３）によって形成される植栽開口（９）が、略水平も設けることが可能である構成を採用することもできる。
【００２７】
また、本発明は、前記鉢増し筒（２）が、前記上側の開口部から下側の開口部にかけて、切れ込み部を備えるか、または摺動可能に重複可能に切れ込み部を備えている構成を採用することもできる。
【００２８】
また、本発明は、前記鉢増し用部材（３）は、切れ込み部を備えた錐台筒（４１）、または略扇形、または部分錘台（４０）を、複数組み合わせる構成を採用することもできる。
【００２９】
また、本発明は、前記鉢増し用部材（３）は、切れ込み部を備えた筒状体または隙間を備えた筒状体である部分筒を、複数組み合わせる構成を採用することもできる。
【００３０】
また、本発明は、前記鉢増し用部材（３）が切れ込み部を備え、切れ込み部を備えた前記鉢増し用部材（３）が、弾性素材、または塑性素材、または可撓性素材から成り、前記切れ込み部の隙間の広さまたは重なり度合いを調整可能である構成を採用することもできる。
【００３１】
また、本発明は、前記鉢増し用部材（３）は、位置保持係止部（７）を備え、前記位置保持係止部（７）は、前記鉢増し用部材（３）が、他の鉢増し用部材（３）または植栽容器（１３）と係止する係止部である構成を採用することもできる。
【００３２】
また、本発明は、鉢増し用部材（３）は、植栽容器（１３）の容積を増やす為の部材であって、前記鉢増し用部材（３）は、上側と下側に開口部を備えた筒状の筒状体（４８）、または上側と下側に開口部を備えた錐台形状の錐台筒（４１）であり、前記鉢増し用部材（３）は、前記植栽容器（１３）の上、または前記植栽容器（１３）に収容された培養基材（３４）の上に、前記植栽容器（１３）の開口部より上に、前記鉢増し用部材（３）の上側の開口部が出た状態で、前記植栽された植物（Ｓ）または前記植物（Ｓ）の根 （３５）部を挿通させて設けられる構成を採用することもできる。
【００３３】
また、本発明は、前記鉢増し用部材（３）が、略台形または略扇形である構成を採用することもできる。
【００３４】
また、本発明は、前記鉢増し用部材（３）が、複数の板状材または可撓性のシートが係止されて、形成される構成を採用することもできる。
【００３５】
また、本発明は、前記鉢増し用部材（３）が、複数の板状材または可撓性のシートが係止されて、略台形または略扇形形状を形成する構成を採用することもできる。
【００３６】
また、本発明は、前記鉢増し用部材（３）が、可撓性シートからなり、一部を折り曲げてタック加工することによって重複して係止されることにより径の調整が可能である重複係止部（４３）を備えているか、または、前記上側開口（１２）から、前記下側開口（４９）まで着脱可能に分割可能であることによって、一部を重複して係止可能な重複係止部（４３）を備えている構成を採用することもできる。
【００３７】
また、本発明は、鉢増し用部材（３）は、上側と下側に開口部を備えた錐台形状の錐台筒（４１）である収納用のユニットを構成する部材であり、前記錐台筒（４１）は、可とう性を有する略シート状の素材から成る、上側開口（１２）と下側開口（４９）を備えた１以上の可撓性のシートであり、
前記錘台筒（４１）は、錐台展開（４２）から構成され、
前記上側の開口部を上側開口（１２）とし、前記下側の開口部を下側開口（４９）とし、
前記鉢増し用部材（３）は、植栽容器（１３）の植栽開口（９）に設けられ、
前記上側開口（１２）は、外形縁（４７）によって構成される略円形であり、前記上側開口（１２）の略円形は、略同一面上に形成されることが可能であり、
前記錐台展開（４２）は、
略部分円状あるいは略円状であり、前記部分円状あるいは円状の略中心部に略部分円状または略円状の穴である下側開口（４９）が設けられており、
前記略部分円状あるいは略円状の外側の円を外形縁（４７）とし、
重複係止部（４３）を備え、前記重複係止部（４３）において、前記錐台展開（４２）を構成する可撓性のシートを重複して係止することによって、下側開口（４９）あるいは上側開口（１２）の径を可変とすることによって、外径の違う植栽容器（１３）にも対応して設けることが可能で、また、前記上側開口（１２）の面を略水平に保持したまま該上側開口（１２）のみの径の変更も可能であり、
前記部分円状の錐台展開（４２）においては、前記部分円状の外形縁（４７）から、下側開口（４９）に渡って設けられた切り込み部が構成する２つの辺を、隙辺（２７）とし、
前記隙辺（２７）から、前記錐台展開（４２）の一部を互いに重複させることによって、前記重複係止部（４３）とし、
前記円状の錐台展開（４２）においては、円状の外形縁（４７）から、下側開口（４９）に渡って、
折り込みを入れた重複部を係止する、タック加工をすることによって、前記重複係止部（４３）とした構成を採用することもできる。
【００３８】
また、本発明は、前記鉢増し用部材（３）が、略対向する平行でない略直線の二辺を備えている構成を採用することもできる。
【００３９】
また、本発明は、鉢増し用部材（３）に設けられた二本の接続辺（３１）の角度が、略同じ角度である複数の鉢増し用部材（３）で前記鉢増し筒（２）を構成している構成を採用することもできる。
【００４０】
また、本発明は、前記鉢増し用部材（３）の、植栽開口（９）を構成する上開口辺（９５）と、２本の前記接続辺（３１）が形成するの２つの角度が、略同等である構成を採用することもできる。
【００４１】
また、本発明は、前記鉢増し用部材（３）が、複数の板状材または可撓性のシートが互いに嵌め合わされて係止されて、略錘台筒または筒状体を構成する構成を採用することもできる。
また、本発明は、前記鉢増し用部材（３）が、発泡性の素材で構成する構成を採用することもできる。
【００４２】
また、本発明は、鉢増し用部材（３）の下辺が、鉢増し筒（２）を形成した際に水平方向に対して斜めであるか、または、曲線または折れ線である構成を採用することもできる。
【００４３】
また、本発明は、前記鉢増し用部材（３）が、抜き掛け部（５）を備え、前記抜き掛け部（５）は、培養基材（３４）内に配置されて、植物（Ｓ）の根 （３５）が引っ掛かる形状で、前記培養基材（３４）内の根 （３５）が絡む位置に配置することによって、前記植物（Ｓ）を前記植栽容器（１３）から引き出す際に植物（Ｓ）の根 （３５）を引掛けて根 （３５）から外れない様に保持する保持部となる構成を採用することもできる。
【００４４】
また、本発明は、前記抜き掛け部（５）が、前記鉢増し用部材（３）に設けられた可撓性の長尺素材、または鎖、またはワイヤー、または網、またはリング、または穴、または棒である構成を採用することもできる。
【００４５】
また、本発明は、前記鉢増し用部材（３）が鉢掛部（３６）を備え、前記鉢掛部（３６）は、前記植栽容器（１３）あるいは鉢カバーに係止可能であるか、または、前記植栽容器（１３）の外面から、前記植栽容器（１３）の底面を経由して、他の鉢増し用部材（３）あるいは他の鉢増し用部材（３）に設けられた外掛け部（３８）と係止可能であるか、または、前記鉢増し用部材（３）に設けられた鉢掛部（３６）で前記植栽容器（１３）の上に載置可能である構成を採用することもできる。
【００４６】
また、本発明は、前記鉢増し用部材（３）が、鉢掛部（３６）である外掛け部（３８）を備え、前記外掛け部（３８）は、前記鉢増し用部材（３）に設けられ、前記植栽容器（１３）あるいは鉢カバーに係止可能であるか、または、前記植栽容器（１３）の外面から、前記植栽容器（１３）の底面を経由して、他の鉢増し用部材（３）あるいは他の鉢増し用部材（３）に設けられた外掛け部（３８）と係止可能である構成を採用することもできる。
【００４７】
また、本発明は、抜き掛け部（５）または外掛け部（３８）を備えた前記鉢増し用部材（３）が、把手（２０）を備えた構成を採用することもできる。
【００４８】
また、本発明は、前記鉢増し用部材（３）が、芯材（２２）を備えた構成を採用することもできる。
【００４９】
また、本発明は、前記鉢増し用部材（３）が、芯材（２２）に巻き取り可能である構成を採用することもできる。
【００５０】
また、本発明は、前記芯材（２２）が、培養基材（３４）に突き刺し可能に突き出ている構成を採用することもできる。
【００５１】
また、本発明は、前記鉢増し用部材（３）が、芯材（２２）に巻き取り可能である構成を採用することもできる。
【００５２】
また、本発明は、前記鉢増し用部材（３）が、水溜め容部（８）を備えた構成を採用することもできる。
【００５３】
また、本発明は、前記鉢増し用部材（３）が、折り部（２３）を備え、前記折り部（２３）は、前記鉢増し用部材（３）が折れているか、または折り曲げ易い、折り易線であるか、折り指示である、折り指示線である構成を採用することもできる。
【００５４】
また、本発明は、前記折り部（２３）が、１つである構成を採用することもできる。
【００５５】
また、本発明は、前記折り部（２３）が、略５角形以上の角を略2等分する構成を採用することもできる。
【００５６】
また、本発明は、前記折り部（２３）が、略６角形以上の２つの角を略2等分する構成を採用することもできる。
【００５７】
また、本発明は、前記鉢増し用部材（３）が、２枚以上で重複して、摺動して回転可能に係止されている構成を採用することもできる。
【００５８】
また、本発明は、前記鉢増し用部材（３）が、２枚以上で重複して、スライド可能に設けられている構成を採用することもできる。
【００５９】
また、本発明は、前記鉢増し用部材（３）の外面に、２つ以上の変曲部（３７）を備え、前記変曲部（３７）は、前記鉢増し用部材（３）の一連の面が、凸方向に曲折している一連の部分あるいは凹方向に曲折している一連の部分である構成を採用することもできる。
【００６０】
また、本発明は、前記変曲部（３７）によって形成される座部（９９）を備え、前記座部（９９）が弧または斜面または略水平面である構成を採用することもできる。
【００６１】
また、本発明は、左右方向のみに、座部（９９）を備えた
構成を採用することもできる。
【００６２】
また、本発明は、前記鉢増し用部材（３）が、外面に凹溝、または凸部である凸座掛部（９８）を備え、係る凸座掛部（９８）にて、植栽開口（９）に前記鉢増し用部材（３）を設けることが可能であるかまたは植栽容器（１３）内に空気を取り込むことが可能な隙間を備える構成を採用することもできる。
【００６３】
また、本発明は、前記凸座掛部（９８）が、前記鉢増し用部材（３）の外面に、数か所に分けて設けられた構成を採用することもできる。
【００６４】
また、本発明は、前記鉢増し用部材（３）が、凸座掛部（９８）として、前記鉢増し用部材（３）の外面にリブを備え、前記リブの端面に、波状または山谷形状の段差を備えた構成を採用することもできる。
【００６５】
また、本発明は、前記鉢増し用部材（３）が、支え足（１５）を備えた構成を採用することもできる。
【００６６】
また、本発明は、前記鉢増し用部材（３）が、支え足（１５）である構成を採用することもできる。
【００６７】
また、本発明は、前記支え足（１５）が、支持基底面（２６）を備え、前記支持基底面（２６）が、地面と略水平方向に設けられた板状材である構成を採用することもできる。
【００６８】
また、本発明は、前記支持基底面（２６）の上に、前記植栽容器（１３）を載置可能である構成を採用することもできる。
【００６９】
また、本発明は、前記支持基底面（２６）に、車輪（５４）を備えた構成を採用することもできる。
【００７０】
また、本発明は、前記支持基底面（２６）が、略Ｔ字であり、前記Ｔ字形状の支持基底面（２６）の、前記植栽容器（１３）の載置されていない、係る植栽容器（１３）の底より外側の支持基底面（２６）に、前記車輪（５４）が備えられている構成を採用することもできる。
【００７１】
また、本発明は、前記支持基底面（２６）が、回動可能に設けられている構成を採用することもできる。
【００７２】
また、本発明は、回動可能に設けられている前記支持基底面（２６）が、他の抜き掛け部（５）と他の鉢掛部（３６）と係止可能である構成を採用することもできる。
【発明の効果】
【００７３】
本発明に係る鉢増しユニットによれば、屋内、屋外を問わず、比較的狭い設置領域においても多種多様な植物を同時に栽培でき、潅水容易で移動や設置も容易で自由で可能であることから、育苗や園芸における面積を有効活用可能な緑化の装飾や家庭菜園が可能であり、作業負担の軽減や作業の効率化を図れるという優れた効果を発揮する。
【００７４】
本発明に係る鉢増しユニットによれば、植栽容器に植栽された植物の根が一杯になった際の、植え替えにおける鉢増し作業を、より、効率良く、低コストで自由度が高く実施することができるという優れた効果を発揮する。
【００７５】
本発明に係る鉢増しユニットによれば、鉢増し作業の際に新しい植栽容器を準備する必要が無く、また、元の植栽容器が邪魔になるという問題点を解決可能であるという優れた効果を発揮する。
【００７６】
本発明に係る鉢増しユニットによれば、植物による装飾によるアレンジやバリエーションをアップさせることが可能という優れた効果を発揮する。
【００７７】
本発明に係る鉢増しユニットによれば、植栽容器を置きたいスペースに合わせた植栽スペースを調整可能で、自由度の高い植栽容器や、個性溢れるお洒落な植物を用いた装飾を容易に施すことが可能という優れた効果を発揮する。
【００７８】
本発明に係る鉢増しユニットによれば、夏場のコンクリートやアスファルトからの輻射熱が、植物に直接当たる量を減らすことが可能で、係る輻射熱によって、係る植物が傷むのを予防することが可能であるという優れた効果を発揮する。
【図面の簡単な説明】
【００７９】
【図１】本発明に係る鉢増しユニットの基本構成説明図である。
【図２】本発明に係る鉢増しユニットの鉢増し用部材が、抜き掛け材の構成の説明図である。
【図３】本発明に係る鉢増しユニットの鉢増し用部材が、着脱可能な係止部を備えた構成説明図である。
【図４】本発明に係る鉢増しユニットの鉢増し用部材が、折り部を備えた鉢増し用部材の構成の説明図である。
【図５】本発明に係る鉢増しユニットの鉢増し用部材が、芯材を備えた構成の説明図である。
【図６】本発明に係る鉢増しユニットの鉢増し用部材が、変曲部と座部を備えた構成の例の説明図である。
【図７】本発明に係る鉢増しユニットの鉢増し用部材が、略板状の鉢増し用部材の幅を変更可能な構成の説明図である。
【図８】本発明に係る鉢増しユニットの鉢増し用部材が、鉢掛部である外掛け部を備えた構成の説明図である。
【図９】本発明に係る鉢増しユニットの鉢増し用部材が、鉢掛部としてのステイを備えた構成説明図である。
【図１０】本発明に係る鉢増しユニットの支え足の構成の説明図である。
【図１１】本発明に係る鉢増しユニットの鉢増し用部材が、植栽容器の外形面に密着する様にして設けられた構成説明図である。
【図１２】本発明に係る鉢増しユニットの鉢増し用部材が、１つからなる構成の説明図である。
【図１３】本発明に係る鉢増しユニットの鉢増し用部材が、凸座掛部を備えた構成説明図である。
【図１４】本発明に係る鉢増しユニットの鉢増し用部材が、変曲部と座部を備えた構成の説明図である。
【図１５】本発明に係る鉢増しユニットの鉢増し用部材の錐台筒が、略扇形あるいは中心に穴を備えた略円形の可撓性のシートから構成される構成の説明図である。
【図１６】本発明に係る鉢増しユニットの鉢増し用部材が、１つの鉢増し用部材から成る鉢増し筒を構成する鉢増し用部材のバリエーションの構成説明図である。
【図１７】本発明に係る鉢増しユニットにおける鉢増し用部材が、回動可能またはスライド可能に設けられている構成説明図である。
【図１８】本発明に係る鉢増しユニットの鉢増し用部材が、水溜め容部を備えた構成説明図である。
【発明を実施するための形態】
【００８０】
本発明に係る 鉢増しユニット１は、植栽容器１３と鉢増し用部材３によって構成されて、植栽容器１３の容積を増やすことを可能にすることによる様々な有用性を発揮するものである。
【００８１】
以下、図面に基づいて本発明に係る鉢増しユニット１について説明する。
但し、図面に示した形状や配置構成等についてはあくまでも代表的な例示であり、その他、本願発明の特徴的な効果が発揮される範囲において変更することが可能であり、また、それぞれの図の例示の構成は、それぞれ他のお互いの図面の構成の例において、応用可能であるものである。
【００８２】
図１は、本願発明における鉢増しユニット１についての基本構成図である。
図１（ａ）の構成の例の植栽容器１３は、略四角柱の筒状の植栽容器１３の例であり、係る植栽容器１３に、図１（ｂ）の構成の例の様に係る植栽容器１３の開口部である植栽開口９が、図１(ａ)の構成の例の植栽容器１３から、上に延長され、尚且つ、係る植栽開口９が広くなっている構成の例であり、係る植栽されている植物Ｓの根３５と、培養基材３４が収容されている植栽容部１４の容積を大きくすることが可能であり、有用である。
【００８３】
つまり、係る植栽容部１４を大きくすることが可能である構成であることによって、例えば、鉢増し作業によって、新しい植栽容器１３を準備する必要が無くなるものである。つまり、係る植栽容器１３に植栽している観葉植物Ｓの根３５が、係る植栽容器１３一杯になって、係る観葉植物Ｓが根３５腐れを起こしてしまわない様に、鉢増し作業が必要になり、一般的には、係る鉢増し作業によって、一回り大きな植栽容器１３を準備して、係る植物Ｓを植え替えることが必要になるものであるが、本発明の構成によって、新しい鉢を準備せず、係る植物Ｓが植栽されている植栽容器１３をそのまま使用して、係る植栽容器１３の容積を増大させることによって、係る植物Ｓの根３５にゆとりのある一回り大きな植栽容器１３にグレードアップさせることが可能な構成であり、有用である。
【００８４】
また、鉢増し用部材３によって、係る植栽容器１３を夏場のコンクリートやアスファルトに載置する場合、特に、植栽容器１３の植栽開口９より広い植栽開口９を備えた鉢増しユニット１とすることによって、係る鉢増し用部材３が夏場のコンクリートやアスファルトからの輻射熱が、係る植物Ｓに直接当たる量を減らすようにする為の、ツバの役割をして、係る輻射熱によって、係る植物Ｓが傷むのを予防することが可能な構成となり、有用であり、また、筒状体４８の鉢増し用部材３においても、係る地面からの距離を離すことが可能な構成であるので、係る輻射熱の植物Ｓへの影響を弱める効果があり、有用である。
【００８５】
また、植栽したいスペースに合わせて、既存の植栽容器の高さや植栽可能スペースの幅や広さを自由に設定可能であり、植栽のアレンジの自由度が高まり、有用である。
【００８６】
係る鉢増し用部材３を備えた構成とすることによって、無駄にこれまでの植栽容器１３を廃棄処分する必要もなくなり、環境的にも、廃棄物を減らすことも可能となり、有用である。
【００８７】
図１（ｂ）の構成の鉢増し用部材３は、図（ｄ）の構成の例の様に、四枚の台形の板状の鉢増し用部材３を、それぞれ図１（a）の構成の例の植栽容器１３の植栽開口９の各辺に挿入して、係る４枚の台形の、平行でない辺同士を略接触させることによって、係る４枚の台形の板状の鉢増し用部材３によって、略四角錐台を逆さにしたような形状の略逆四角錐台形状の筒である錐台筒４１である鉢増し筒２を形成することによって、図１（ｂ）の構成の例の様に、係る植栽開口９の高さを高くしつつ、係る植栽開口９の開口面積を広くすることが可能である構成の例である。
【００８８】
尚、図１（ｄ）の構成の例における係る台形の平行でない向かい合った辺が、より平行に近い辺である鉢増し用部材３である程、係る鉢増し用部材３を４枚組合わせた際に、より鉛直に近い状態の倒れ角度３２で係る鉢増し用部材３が係る植栽容器１３に設けられる構成となり、より、係る鉢増し用部材３によって構成される錐台筒４１も、より、直方体の筒に近い鉢増し筒２である構成となり、係る台形の平行でない向かい合った辺が、逆に、より広い角度である構成である程、係る鉢増し用部材３を４枚組合わせた際に、より水平に近い、寝た状態の倒れ角度３２で係る鉢増し用部材３が係る植栽容器１３に設けられる構成となり、より、係る植栽開口９の広がり方が大きくなる構成となるものである。
【００８９】
また、係る鉢増し用部材３が略台形であることによって、係る植栽容器１３の植栽開口９の開口部の辺の長さが、違う構成の植栽容器１３であっても、係る台形の平行でない辺である接続辺３１の間の幅の長さに対して、適切な長さの部分で、係る鉢増し用部材３を係る植栽開口９に丁度嵌る様に係る鉢増し用部材３を設けることが可能であり、係る植栽容器１３の様々なサイズに対応可能であり、自由度が高く、有用である。
【００９０】
また、係る二本の接続辺３１と、新しい植栽開口９を形成する辺である上開口辺９５である係る台形の平行な辺の長い方の辺との角度が、略同等であることによって、同等の角度を備えた隣接する他の鉢増し用部材３の接続辺３１と合わせた際に、係る鉢増し用部材３によって形成される新しい植栽開口９を、略水平に設けることが可能であるので、有用である。
【００９１】
尚、接続辺３１は隣の鉢増し用部材３と、合わせて設けられる側の辺であり、係る接続辺３１にて、隣の鉢増し用部材３と接して設けられる構成としても良いし、重複して設ける構成としても良いし、互いに係止しても良いし、着脱可能に係止しても良く限定しない。
【００９２】
尚、上開口辺９５が上側開口１２を構成する鉢増し用部材３の辺であるのに対して、下開口辺９４は、係る下側開口４９を構成する辺である。
【００９３】
図１（ｅ）の構成の例の鉢増し用部材３は、図１（ｄ）の構成の例の略台形の鉢増し用部材３の上開口辺９５が、略円弧状である構成の例である。
係る上開口辺９５が略円弧状であることによって、例えば、係る植栽容器１３の植栽開口９が略円形である構成である場合に、係る植栽開口９に係る鉢増し用部材３を、可撓性を備えた素材である構成とし、図１（ｃ）の構成の例の様に、斜めに設け、係る植栽開口９の形状に撓ませた際に、係る鉢増し用部材３によって構成される植栽開口９の高さを、略水平に設けることが可能となり、有用である。
つまり、植栽開口９が略円形の植栽開口９に図１（ｄ）の構成の例のような略台形の可撓性を備えた鉢増し用部材３を同様に係る略円形の植栽開口９を備えた植栽容器１３に設けると、係る略台形の平行の長い方の辺を新しい植栽開口９とした時に、係る辺の真ん中付近が低くなり、土等がこぼれ易い構成となるので、このように、係る上開口辺９５を弧状にして設けることは、有用である。
【００９４】
倒れ角度３２は、係る鉢増し用部材３を植栽容器１３に設けた際の、鉛直方向に対しての倒れ角度３２である。
【００９５】
図１（ｆ）の構成の例は、図１（ｄ）の構成の例の略台形の鉢増し用部材３の上開口辺９５が、波形状である構成の例である。
この様に、係る略台形を構成している平行な辺は、係る長い方の辺は植栽開口９、短い方の辺は培養基材３４内で係る鉢増し用部材３が構成する鉢増し筒２の植栽開口９と反対側の下側の開口部を構成するので、意匠上や、仕様上の目的に等に合わせて、自由な形状に構成し易いものである。
但し、係る略台形を構成する平行でない２辺である接続辺３１については、係る複数の鉢増し用部材３が鉢増し筒２を構成する際に、隣の鉢増し用部材３と合される辺となるので、合わせやすさの為には、略直線であることが望ましいものである。
但し、係る略台形を構成する接続辺３１についても、例えば、隣合った二辺が互いに嵌め合う構成の形状とする場合は、必ずしも直線でなくても良い。
【００９６】
図１（ｇ）の構成の例は、図１（ｄ）の構成の例の略台形の形状の鉢増し用部材３の上開口辺９５が、斜めである構成の例であり、図１（ｈ）の構成の例が、係る図１（ｄ）の構成の例の略台形の形状の鉢増し用部材３の平行な長い方の辺と短い方の辺も、斜めである構成の例であり、図１（ｋ）の構成の例の鉢増しユニット１が、係る図１（ｇ）あるいは図１（ｈ）の構成の例の鉢増し用部材３を係る植栽容器１３の植栽開口９に備えた構成の例である。
【００９７】
図１（ｈ）の構成の例の鉢増し用部材３の係る下側の辺が斜めである構成の例の様においては、係る鉢増し用部材３において、培養基材３４に、より奥まで挿入される側と浅く挿入される側ができる為、より奥まで挿入される側で、係る培養基材３４内でより安定して係る鉢増し用部材３を安定させる役割を果たし、係る浅く挿入される側が、係る植物Ｓの根３５が、より広く係る植栽容器１３の中に広がる入り込むことが可能なスペースを創出することが可能な構成となり、有用である。
この様に、係る鉢増し用部材３の下側の辺を、この様に斜めであったり、あるいは、弧状に切込みを備えたり、波形状等の曲線または折れ線状の異形である構成とすることによって、係る鉢増し用部材３の安定性と、植物Ｓの根３５の広がりを促進する構成とすることが可能であり有用である。
【００９８】
図１（ｋ）の構成の例の鉢増しユニット１においては、図１（ｇ）または図１（ｈ）の構成の例の 鉢増し用部材３の上開口辺９５が、係る鉢増しユニット１の新しい植栽開口９を構成する例であり、この様に、対向する二本の辺である接続辺３１が略直線の辺であることによって、隣合った 鉢増し用部材３の接続辺３１を、略汎用的に合わせることが可能な構成であり、自由度が高く有用である。
また、係る隣り合った鉢増し用部材３の係る互いに略接する様にして合わせられる辺である接続辺３１について、それぞれの鉢増し用部材３に設けられた係る二本の接続辺３１の角度は、略同角度に設けられた二本の接続辺３１を備えた鉢増し用部材３同士で係る鉢増し筒２を構成することによって、係る鉢増し筒２を構成する鉢増し用部材３の倒れ角度３２を略一定にすることが可能となり、有用である。
図１（ｋ）の構成の例の鉢増し用部材３が構成する鉢増し筒２においても、係る鉢増し筒２の上側開口１２の方が下側開口４９より広い構成の鉢増し筒２の構成の例であり、係る鉢増し筒２も略錘台筒４１といえる。
【００９９】
図１（ｉ）の構成の例は、図１（ｈ）の構成の例の鉢増し用部材３の上下の辺が、波形状である構成の例であり、この様に、接続辺３１に挟まれた上下の２辺の形状は、様々な形状、デザインである構成とすることが可能である。
図１（j）の構成の例の鉢増し用部材３は、略長方形の構成の例であり、係る鉢増し用部材３においては、略直方体状または円柱状の筒状の鉢増し用部材３を構成可能とする形状であり、係る植栽容器１３の植栽開口９を、面積を広げずに、係る植栽容器１３の高さだけ変えたい場合に、有用な構成である。
【０１００】
図２の構成の例の鉢増し用部材３は、抜き掛け材６の構成の例である。
係る抜き掛け材６は、係る鉢増し用部材３である抜き掛け材６に吊設する様にして抜き掛け部５が設けられて、係る抜き掛け部５が培養基材３４内に配置され、係る植栽容器１３に植栽された植物Ｓの、例えば、根３５に絡められることによって、係る鉢増し用部材３の位置の安定化を図ると共に、次の鉢増し作業の際に、係る鉢増し用部材３を引き上げることによって、根３５ごと、係る根３５が張ってしまって抜き難い植物Ｓを抜き上げることが可能となり、次回の鉢増し作業をスムースに行うことが可能となり、また、係る植栽容器１３の植物Ｓと一体的に、係る鉢増し用部材３を設けることが可能となるので、係る鉢増し用部材３の安定を図ることが可能な構成であり、有用である。
【０１０１】
図２（ａ）の構成の例の鉢増し用部材３には、係る鉢増し用部材３の下辺に、鉢増し足２４として、可撓性の帯紐材３３が設けられている構成の例である。
係る鉢増し足２４としての帯紐材３３は、植物Ｓを植栽する際に、係る植物Ｓの根３５部に巻くなり、対向する他の鉢増し用部材３の帯紐材３３と結束等によって連結することによって、係る鉢増し用部材３を、係る植物Ｓの根３５部と、一体的に設けることを可能とする構成の例であり、有用である。
また、係る抜き掛け部５である鉢増し足２４は、帯紐材３３等の可撓性の長尺素材でも良いし、鎖でも、網状でも、ワイヤーでも良く、その他、本願発明の特徴的な効果が発揮される範囲において変更することが可能であり、限定しない。
【０１０２】
図２（ｂ）の構成の例の鉢増し用部材３は、図２（ａ）の構成の例の帯紐材３３に、棒状の抜き掛け部５を備えた構成の例である。
係る棒状の抜き掛け部５を、係る植栽容器１３内に配置させることによって、係る植物Ｓの根３５が、係る、棒状の抜き掛け部５に絡み、係る棒状の抜き掛け部５が抜け防止となる構成の例である。
【０１０３】
図２（ｃ）の構成の例は、図２（ｂ）の構成の例の棒状の抜き掛け部５が、帯紐材３３に設けられた穴である構成の例であり、係る穴は、棒状の抜き掛け部５同様、植物Ｓの根３５が絡む構成としても良いし、係る穴で、他の抜き掛け材６の抜き掛け部５と係止する構成として、係る根３５の下で係る帯紐材３３を橋架させる構成として、抜け止めとする構成としても良い。
また、係る穴は、係る帯紐材３３に設けられても良いし、図面には示されていないが、鉄等の金属のリングや、樹脂のリングである構成としても良いし、係る鉢増し用部材３の板状あるいは可撓性のシート状の部分に直接係る穴が設けられた構成としても良く、その他、本願発明の特徴的な効果が発揮される範囲において変更することが可能であり、限定しない。
【０１０４】
図２（ｄ）の構成の例は、この様に、対向する抜き掛け材６の帯紐材３３が橋架されて、係る植物Ｓの根３５の下に配置された構成の例のであり、係る構成とすることによって、係る植物Ｓの根３５と培養基材３４が係る抜き掛け材６の抜け防止となる構成の例であり、図２（ｄ）の構成の例においては、まだ、鉢増しした直後の構成の例であり、根３５が浅い状態の例であるが、係る根３５が成長すると共に、係る根３５が、係る抜き掛け部５である帯紐材３３に絡む構成である。
【０１０５】
図２（ｅ）の構成の例が、この様に、他の抜き掛け材６の帯紐材３３が橋架されて設けられる抜き掛け材６の構成の例の側面からの図であり、２つの板状の鉢増し用部材３を、帯紐材３３が橋架して設けられて、係る帯紐材３３に係る植物の根が係ることによって、係る鉢増し用部材３の安定性を増し、また、次回の鉢増し作業時の作業を容易にすることが可能であり、有用である。
【０１０６】
図２（ｆ）の構成の例が、１つの板材である鉢増し用部材３に、係る帯紐材３３が橋架された構成の例であり、係る帯紐材３３に、係る植物Ｓの根３５や、培養基材３４を絡ませる構成の例である鉢増し用部材３であり、有用である。
【０１０７】
図２（ｇ）の構成の例の抜き掛け材６が、網状の抜き掛け部５を備えた構成の例であり、係る構成とすることによって、係る植物Ｓの根３５が、よりしっかりと絡む構成となり、有用である。
【０１０８】
図２（ｈ）の構成の例の鉢増し用部材３である鉢増し筒２が、抜き掛け部５を備えた構成の例であり、係る鉢増し筒２は、図２（ｄ）の構成の例の様に、係る植物Ｓの根３５の下を橋架させて設ける構成の例であり、他の抜き掛け材６同様、有用である。
また、図面には示されていないが、係る抜き掛け部５は、係る鉢増し用部材３に設けられた穴として、係る穴が、培養基材３４内に配置され、植物Ｓから伸びた根３５が、係る穴に入り込んで係る鉢増し用部材３に絡むことによって、係る鉢増し用部材３を安定化させる構成としても良い。
【０１０９】
抜き掛け部５は、培養基材３４内に配置されて、植物Ｓの根３５が引っ掛かる、あるいは絡む構成で、係る培養基材３４内の根３５が絡む位置に配置することによって、係る植物Ｓを植栽容器１３から引き出す際に植物Ｓの根３５と絡んで、根３５から外れ難い様に保持する保持部である。
【０１１０】
図３の構成の例は、係る略板状または可撓性を備えた鉢増し用部材３が、着脱可能な係止部を備えた構成の例である。
図３（a）の構成の例が、図３（ｂ）の構成の例の鉢増し用部材３を、図１（ａ）の構成の例の略四角柱の筒状の植栽容器１３に、設けた構成の例である。
【０１１１】
図３（ｂ）の構成の例の鉢増し用部材３には、隣接する他の鉢増し用部材３と係止可能な位置保持係止部７として、面ファスナーが設けられた構成の例であり、係る面ファスナーが、図３（ａ）の構成の例の鉢増しユニット１の様に、係る植栽容器１３に設けられた鉢増し用部材３が互いに係止されて、係る互いの鉢増し用部材３がしっかりと密着された構成の例である。
【０１１２】
図３（ｃ）の構成の例の鉢増しユニット１には、図３（ｄ）の構成の例の様に、複数の鉢増し用部材３と嵌め合って係止させることが可能な鉢増し用部材３が互いに係止されて設けられた構成の例である。
係る鉢増し用部材３は、図３（ｅ）の構成の例の様に、２つの鉢増し用部材３において、４本の矢印状の突起物が、それぞれの突起物の間の隙間に、それぞれの突起物が嵌め合わされて係止される構成の例である。
係る鉢増し用部材３は、略板状材でも良いし、その他、例えば、スポンジ等の発泡性の素材である構成としても良く係る素材を発泡性の素材とすることによって、２つの鉢増し用部材３の嵌め合いの形状や方向の自由度も高く、有用であり、また、発泡性の樹脂等の素材は、軽量で、保温性もあるので、冬季に、寒さによって培養基材３４が凍結する予防にもなり、夏季に、太陽の直射日光や、アスファルト等からの照り返し等によって、植栽容器１３が熱くなり、鉢蒸れを起こして植物Ｓをダメにすることの予防ともなりうるものであり、有用である。
【０１１３】
尚、市松模様で図示された部分が、係る鉢増し用部材３を、他の鉢増し用部材３と係止可能とする位置保持係止部７を示しており、係る位置保持係止部７は、面ファスナーでも良いし、ホックでも、フックでも、嵌め合い部でも、紐でも、帯でも、ベルトでも、自己吸着シートでも、マグネットでも、掛け金でも良く、その他、本願発明の特徴的な効果が発揮される範囲において変更することが可能であり、限定しない。
【０１１４】
図４の構成の例は、折り部２３を備えた鉢増し用部材３の構成の例である。
図４（ａ）の構成の例の鉢増し用部材３は、板状あるいは略可撓性のシート状部材から成り、略ホームベース形の鉢増し用部材３の頂点の角を、略2等分する様にして、折り部２３が備えられた構成の例である。
【０１１５】
係る折り部２３は、2点鎖線で図示された線であり、係る折り部２３は、係る鉢増し用部材３を係る折り部２３において曲折し、係る折り部２３が、図4（ｅ）の構成の例に示される様に、植栽容器１３の角に配置され、また、係る折り部２３が、鉢増し用部材３の角を略２等分する様にして設けられていることによって、係る鉢増し用部材３を係る植栽容器１３に対して図４（ｅ）の構成の例に示す様に、斜めに設けることによって、係る植栽開口９をより広く設定することが可能となり、また、係る鉢増し用部材３の角を２等分していることによって、係る鉢増し用部材３によって形成される新しい植栽開口９の辺を、略水平に設けることが可能となる構成の例であり、有用である。
係る折り部２３によって２等分されている角を構成する辺が、係る鉢増し用部材３が構成する錐台筒４１の植栽開口９を形成する辺を構成し、係る辺に、位置保持係止部７として、面ファスナーが備えられている構成の例である。
【０１１６】
係る位置保持係止部７が、植栽容器１３に設けられた構成の例が、図４（ｅ）の構成の例であり、係る位置保持係止部７である面ファスナーによって、隣接する鉢増し用部材３同士が係止されて、鉢増し筒２である錐台筒４１を構成し、係る新しい植栽開口９に植物Ｓを植栽した、上面からの例の説明図である。
【０１１７】
この様に、係る鉢増し用部材３が、植栽容器１３の１つの角と、その角を挟む辺を形成する構成とすることによって、係る植栽開口９の辺の部分で、隣の鉢増し用部材３と重なり合い、係る重なりあいの部分の重複量を変更することによって、係る鉢増し筒２の外形のサイズを調整することが可能となり、様々なサイズの植栽容器１３に対応可能な鉢増し用部材３とすることが可能な構成であり、有用である。
【０１１８】
折り部２３は、鉢増し用部材３が折れているか、または折り曲げ易い、折り易線であるか、折り指示である、折り指示線であり、係る折り易線は、鉢増し用部材３に折り曲げやすい様に設けられた、薄肉部でも良いし、ミシン目でも良いし、予め一度折り曲げられることによって、折り曲げやすい構成であっても良く、その他本願発明の特徴的な効果が発揮される範囲において変更することが可能であり、限定せず、また、折り指示線は、係る折り部２３に設けられて、曲折部を指示する支持線であり、係る支持線に合わせて折り曲げれば良い構成である。
【０１１９】
また、係る構成の例においては、折り部２３がホームベース状の角を略半分に分割する線であることによって、係る角を挟む辺が、略水平、あるいは左右同じ角度の植栽開口９の辺を構成する例であるが、係る、角を、係る折り部２３が、左右違う角度で分割する構成とすることによって、係る角を挟んだ左右の辺が構成する植栽開口９の辺の角度を、それぞれ、違う角度である構成とすることが可能となり、意匠的に、植栽開口９の辺に段差を設けた構成となり、有用である。
【０１２０】
図４（ｂ）の構成の例の鉢増し用部材３は、図４（ａ）の構成の例の鉢増し用部材３が、略ホームベース形である構成であるのに対して、係る形状が、略逆Ｖ字型である構成の例であり、図４（ａ）の構成の例の略ホームベース形の鉢増し用部材３が、係る折り部２３の線と略垂直である下辺が、植栽容器１３内の培養基材３４内に埋まる部分が比較的大きい構成であるのに対して、図４（ｂ）の構成の例の鉢増し用部材３は、係る培養基材３４内に浅く設けられる構成の例である。
【０１２１】
図４（ｃ）の構成の例は、図４（ａ）の構成の例の略ホームベース形状の鉢増し用部材３が、上下に合体したような６角形の構成の鉢増し用部材３の例である。
係る６角形の鉢増し用部材３の、上側の頂点と、下側の頂点を結ぶと、略それぞれの角を２等分される様な構成の例であり、係る折り部２３の下側の角は、上側の角に比べて、鋭角である構成の例である。
係る上側の鈍角な角を上側にして植栽容器１３に設けた際には、例えば、図４（ｆ）の構成の例の様な角度にて植栽容器１３に設けると、ちょうど係る植栽開口９の辺を略水平な状態で設けることが可能である構成の例であるとすると、図４（ｃ）の折り部２３の下端側の角を、上側にして、植栽容器１３に設けた際には、例えば、図４（ｇ）の構成の例の様に、係る鉢増し用部材３の倒れ角度３２が、より、寝た状態で、係る植栽開口９の辺が、より水平に近い倒れ角度３２となり、植栽開口９が、より浅く、広い構成の例であり、１つの鉢増し用部材３で、２つのパターンの錐台筒４１を構成することが可能な例であり、有用である。
【０１２２】
図４（ｆ）と図４（ｇ）は、係る鉢増し用部材３を植栽容器１３に設けた際の、倒れ角度３２を説明する為の説明図であり、植栽容器１３に係る鉢増し用部材３を設けた構成の例である。
図４（ｆ）の構成の例の鉢増し用部材３は、図４（ｇ）の構成の例の鉢増し用部材３より、より鉛直に近い倒れ角度３２で設けられている構成の例であり、折り部２３が設けられている角の角度が、図４（ｆ）の構成の例は、図４（ｇ）の構成の例よりも、より、鈍角である構成の鉢増し用部材３が設けられている例である。
【０１２３】
図５の構成の例は、係る鉢増し用部材３が、芯材２２を備えた構成の例である。
図５（ａ）の構成の例の鉢増し用部材３は、図１（ｄ）の構成の例の略台形の鉢増し用部材３に、２本の棒状の芯材２２が設けられた構成の例である。
係る棒状の２本の芯材２２は、係る略板状または可撓性のシート状の鉢増し用部材３に接着剤等で係止して略平行に設けられ、係る略台形の平行な辺の長辺側を上辺とし、短辺側を下辺とし、係る上辺から下辺方向に突き出す様にして設けられた構成の例である。
係る構成とすることによって、係る芯材２２を係る培養基材３４内に突き刺すことが可能である構成とすることによって、係る鉢増し用部材３を係る植栽容器１３の植栽開口９の上部に安定的に設けることが可能な構成であり、有用である。
また、係る芯材２２を略平行に設けることによって、係る芯材２２を両方同時に平行にまとめて差すことが可能であり、係る鉢増し用部材３を係る植栽容器１３に設け易く、有用である。
【０１２４】
図５（ｂ）の構成の例の鉢増し用部材３は、係る芯材２２が、非平行に設けられている構成の例である。
係る芯材２２は、特に交差して設けられていることによって、係る鉢増し用部材３を係る植栽容器１３内に設けた際に、例えば、係る芯材２２に植物Ｓの根３５が絡まったり、培養基材３４の抜き抵抗力によって、係る鉢増し用部材３が抜け難い構成となり、有用である。
【０１２５】
図５（ｂ）の構成の例においては、係る芯材２２は、交差している例であるが、必ずしも交差していない構成においても、係る芯材２２が平行でないことによって、真っ直ぐ抜け難く、抵抗となり、有用である。
【０１２６】
図５（ｃ）の構成の例の鉢増し用部材３は、図４（ａ）の構成の例の鉢増し用部材３と略同等の鉢増し用部材３の構成の例であり、図４（ａ）の構成の例と同様に、係るホームベース形状の頂点の角を略２等分する様にして、係る芯材２２が設けられており、係るホームベース形状の頂点の角を略２等分する様にして設けられた芯材２２は係る鉢増し用部材３の折り部２３に設けられ、係る芯材２２を設けられた折り部２３で係る鉢増し用部材３は曲折され、図４（ｅ）の構成の例の鉢増しユニット１の様に、植栽容器１３に係る鉢増し用部材３が、係る芯材２２を係る培養基材３４に刺して設けられる構成の例である。
係る構成においては、係る芯材２２によって、係る鉢増し用部材３の位置が保持される構成であるので、図４（ｅ）の構成の例の様に、位置保持係止部７としての、面ファスナーを必ずしも設ける必要が無く、また、係る鉢増し用部材３の位置も、係る芯材２２によってしっかりと培養基材３４内にて保持可能な構成であり、有用である。
【０１２７】
図５（ｄ）の構成の例の鉢増し用部材３は、可撓性のシートから成る略扇形の鉢増し用部材３の構成の例であり、５本の芯材２２を備えた構成の例である。
係る鉢増し用部材３は、可撓性のシートから成る構成であるので、例えば、植栽開口９の形状が、円である植栽容器１３に、図１２に示される様な略円錐台状の錐台筒４１を形成可能である、構成の例である。
係る略扇形の鉢増し用部材３は、１つで係る円錐台状の鉢増し用部材３を構成しても良いし、２つ以上の係る略扇形の鉢増し用部材３で係る円錐台状の鉢増し用部材３を形成する構成としても良く、係る略扇形の鉢増し用部材３の重なり量によって、係る鉢増し用部材３は、設けられる植栽容器１３のサイズに合わせて調整可能な構成であり、有用であり、また、係る芯材２２が係る培養基材３４内に差し込まれて、係る鉢増し用部材３の位置を保持可能な構成であり、有用である。
【０１２８】
図５（ｅ）の構成の例の鉢増し用部材３の構成の例は、略長方形の板状または可撓性のシートに、３本の芯材２２が設けられた構成の例である。
係る鉢増し用部材３には、３本の芯材２２が設けられている構成であるので、係る芯材２２を、略直線に配置した構成とすると、係る鉢増し用部材３は略一面のみを備えた構成の鉢増し用部材３を構成し、係る真ん中の芯材２２を、例えば、４角形の植栽開口９を備えた植栽容器１３の角に設けると、略鉛直な２面を備えた鉢増し用部材３を構成し、係る鉢増し用部材３を４つ同様に、係る四角形の植栽開口９の角に設けることによって、１つの略四角柱状の鉢増し筒２を構成することが可能な構成の例である。
【０１２９】
図５（ｆ）の構成の例の鉢増し用部材３の構成の例は、図４（ｃ）の構成の例の鉢増し用部材３に、係る芯材２２を備えた構成の例であり、図４（ｃ）の係る鉢増し用部材３の折り部２３が示されている位置と、係る折り部２３と平行に、２本の芯材２２が略平行に設けられた構成の例である。
鉢増し用部材３は、可撓性のシートである構成としても良く、係る芯材２２を備えることによって、係る鉢増し用部材３が可撓性のシートであっても、係る芯材２２が係る可撓性のシートの位置を保持可能とする支持材となり、有用である。
また、係る芯材２２は、係る鉢増し用部材３を構成する可撓性シートあるいは板材から飛び出していない構成の例であるが、特に、この様に、上下どちら側を上にしても、係る植栽開口９を構成することが可能な構成である図５（ｆ）の構成の鉢増し用部材３においては、上下２種類の方向で使用可能な構成であり、有用である。
また、この様に、係る鉢増し用部材３を構成する可撓性シートあるいは板材が長い構成である点においても、十分に培養基材３４内に係る鉢増し用部材３を構成する可撓性シートあるいは板材自体が差し込まれる構成であるので、しっかりと培養基材３４によって支えられ、必ずしも芯材２２が係る培養基材３４内に差し込まれる構成でなくても、安定可能である構成である。
また、必要に応じて、係る芯材２２に、係る可撓性シートを巻くことによって、係る鉢増し用部材３の幅を調整可能でもあり、有用である。
芯材２２は、鉢増し用部材３に設けられる棒状の部材であり、係る材質は、ポリプロピレンや、ポリアミド等のプラスチック素材でも良いし、アルミニウムや鉄等の金属でも良いし、木でも、ゴムでも、その他、本願発明の特徴的な効果が発揮される範囲において変更することが可能であり、限定しない。
【０１３０】
図６の構成の例は、係る略板状の鉢増し用部材３が、変曲部３７と座部９９を備えた構成の例である。
図６（ａ）の構成の例の鉢増し用部材３は、略板状であり、係る略板状材が、二か所の変曲部３７を備えた構成の例であり、図６（ｂ）の構成の例の略板状材と、図６（ｃ）の構成の例の鉢増しユニット１の例の様に、植栽容器１３に設けられる構成の例である。
【０１３１】
図６（ａ）の構成の例の鉢増し用部材３は、３つの平面から構成されており、一番下の平面を略鉛直方向の平面として、係る平面に、略垂直に略水平方向に２番目の平面が備えられ、更に、係る２番目の平面に対して、略垂直に３番目の平面が設けられている構成の例である。
図６（ａ）の構成の例においては、それぞれの平面の繋がり部の曲折部を、面の変曲部３７とし、係る鉢増し用部材３は、３つの平面と２つの略垂直な曲折部である変曲部３７から構成される鉢増し用部材３である。
また、係る２番目の略水平方向に設けられた面を、係る面を植栽開口９の縁に載置可能な面である、座部９９とする。
【０１３２】
図６（ａ）の構成の例の鉢増し用部材３の構成の例においては、それぞれの変曲部３７は、略垂直に設けられているが、係る角度は、略垂直に限定せず、平面あるいは鉛直方向に対して、例えば、図１３（ｂ）の鉢増し用部材３の断面図が示す様に、斜度を備えた構成としても良い。
また、係る変曲部３７も、角形状でも良いし、ラウンド形状の変曲部３７である構成としても良い。
尚、変曲部３７とは、係る鉢増し用部材３の一連の面が、凸方向に曲折している一連の部分あるいは凹方向に曲折している一連の部分のことを指し、図６（ａ）の構成の例の鉢増し用部材３の例においては、凸方向の変曲部３７と、凹方向の変曲部３７の合わせて２つの変曲部３７を備えた構成の例である。
また、座部９９は、係る２つの変曲部３７の間、または、上側の変曲部３７の一部である平面または曲面であり、係る座部９９において、植栽容器１３の植栽開口９の上に、係る座部９９を備えた鉢増し筒２を載置可能とする部分である。
【０１３３】
図６（ｂ）の構成の例の鉢増し用部材３は、図６（ａ）の構成の例の鉢増し用部材３と係止可能な位置保持係止部７である面ファスナーを、４か所に備えた構成の例であり、係る４か所の位置保持係止部７によって、図６（ａ）の構成の例の鉢増し用部材３と係止することによって、図６（ｃ）の構成の例の鉢増しユニット１の様に、係る植栽開口９の位置を上に上げることが可能な構成である。
係る構成とすることによって、例えば、玄関先等、スペースの関係で、係る植栽容器１３を、横方向には広げたいが、前方向には広げたくない場合に、横方向に広げた植栽開口９に、別の花等を追加して植えることが可能な構成であり、有用である。
また、図１（ｃ）の断面図の示す構成の例の様に、係る植栽容器１３の植栽開口９に斜めに設けられる構成の例よりも、係る図６の構成の鉢増し用部材３は、係る植栽容器１３の植栽開口９から、一気に係る植栽開口９を広くできる構成であり、有用である。
また、図６（ｃ）において、係る変曲部３７を備えた図６（ａ）の構成の２つの鉢増し用部材３間の距離を、自由に設定できるので、対応可能な植栽容器１３のサイズも様々で、自由度が高く、有用である。
【０１３４】
図６（ｄ）は、図６（ｃ）の構成の例の鉢増しユニット１と同等の鉢増しユニット１の上面図である。
【０１３５】
図６（ｅ）は、図６（ｄ）の構成の例の鉢増しユニット１と関連した鉢増しユニット１において、係る植栽容器１３の奥行きの幅に対して鉢増し筒２の奥行きの幅が狭い構成の例の上面図であり、係る植栽容器１３の植栽開口９よりも狭い幅の鉢増し用部材３を備えた鉢増し筒２としても、対応可能であり、係る構成鉢増し筒２の対応の広さを示しており、有用である。
【０１３６】
図６（ｆ）は、図６（ｅ）の構成の例の鉢増しユニット１と関連した鉢増しユニット１において、係る鉢増し筒２の奥行きの幅が、係る植栽容器１３の植栽開口９の幅より、更に狭い構成の例であり、係る構成とすることによって、係る鉢増し筒２の手前の係る植栽容器１３の植栽開口９に、植物Ｓを植えることが可能な構成であり、奥側に植栽した植物Ｓも日当たり良く、また、観賞し易く、且つ、横への広がりのある植栽容器１３ともなり、有用であり、係る構成の鉢増しユニット１の正面図が、図６（ｇ）の構成の例である。
【０１３７】
図７の構成の例は、係る略板状の鉢増し用部材３の幅を変更可能な構成の例である。
図７（ａ）と図７（ｂ）の構成の例の鉢増し用部材３は、二枚の略板状の長方形の部材が、一か所を鋲１００で係止され、お互いの面同士で向き合い、摺動して係る鋲を回動軸として回動可能に設けられ、略扇の様に、開閉可能に設けられている構成の例であり、図７（ａ）の構成の例は、係る鉢増し用部材３の接続辺３１が略平行の構成の例であり、図７（ｂ）の構成の例は、係る接続辺３１が、図７（a）から、扇の様に回動して開いた構成の例である。
【０１３８】
係る鉢増し用部材３は、回動することによって、係る鉢増し用部材３の接続辺３１の角度を変更可能である構成とすることによって、係る鉢増し用部材３を設けることが可能な植栽容器１３の植栽開口９のサイズにより、係るサイズに合わせて自由度高く対応可能な構成となり、また、係る鉢増し用部材３を係る植栽容器１３の植栽開口９に設ける際の倒れ角度３２を変更することが可能な構成であり、係る鉢増し用部材３の自由度が高く、有用である。
つまり、例えば、係る対向する２本の接続辺３１の角度を、図７（ａ）の構成の例の様に、略平行な構成の４枚の鉢増し用部材３を略正方形の植栽開口９を備えた植栽容器１３の係る植栽開口９の各辺に４つ隣り合わせて設けると、係る鉢増し用部材３は略垂直に係る植栽開口９に立つようにして設けられる構成となり、図７（ｂ）の構成の例の様に、係る鉢増し用部材３を略扇状に開いた構成に示される様に、係る接続辺３１を略扇の様にして開き、係る二本の接続辺３１同士の角度が大きくなればなるほど、例えば図４（ｆ）の状態から図４（ｇ）の状態に示される様に、係る鉢増し用部材３が植栽開口９に設けられる角度を変更可能である構成となり、係る角度が大きい程、係る植栽開口９の面積は大きくなり、より多くの植物を植栽し易くなり有用である一方、垂直方向への高さの嵩増し効果は少なくなり、必要に応じて、設定することが可能な構成となり、自由度が高く有用である。
尚、係る回動可能に、設けられている略板状の部材は、略長方形でも良いし、略台形でも良いし、略扇形でも、５角形でもそれ以上の多角形でも、円や、楕円でも、星形やハート型などでも良く、その他、異形でも良く、本願発明の特徴的な効果が発揮される範囲において変更することが可能であり、限定しない。
また、図７（ａ）及び図７（ｂ）の構成の例は、２枚の略板状の長方形の部材が１つの鋲１００によって係止されている構成の例であるが、３枚あるいはそれ以上の略板状の長方形の部材が１つの鋲によって係止され、係る複数の略板状の長方形の部材が、係る鋲１００を回動軸として、略扇の様にして、回動開閉可能な構成としても良い。
尚、係る略板状の長方形の部材は、板でも良いし、可撓性のシートでも良く、板であれば、よりしっかりと安定的に係る植栽開口９に設けることが可能であり有用であり、一方、可撓性のシートである構成とすることによって、係る植栽開口９の形状が円形であっても、係る植栽開口９に沿って柔軟に係る鉢増し用部材３を設けることが可能な構成となり、有用である。
【０１３９】
図７（ｃ）と図７（ｄ）の構成の例の鉢増し用部材３は、図７（ａ）の構成の例の略長方形の略板状材が、略台形である構成の例であり、図７（a）及び、図７（ｂ）の構成の例と同様に、２枚の略台形の略板状材が、鋲１００で係止されて、扇状に回動開閉可能に設けられている構成の例である。
係る鉢増し用部材３の接続辺３１には、隣接する鉢増し用部材３と係止可能とする位置保持係止部７として、面ファスナーが設けられた構成の例であり、係る鉢増し用部材３が植栽容器１３の植栽開口９に設けられた際に、係る鉢増し用部材３は、係る位置保持係止部７によって、互いに係止された鉢増し筒２を構成可能とする例である。
【０１４０】
尚、係る略扇状に回動可能に、設けられている略板状の部材は、略長方形でも良いし、略台形でも良いし、５角形でもそれ以上の多角形でも、円や、楕円でも、星形やハート型などでも良く、その他、異形でも良く、また、違う形の略板状材が設けられた構成としても良く、本願発明の特徴的な効果が発揮される範囲において変更することが可能であり、限定しない。
また、係る回動可能に設けられている略板状材の枚数も、２枚でも良いし、３枚以上でも良く、限定しない。
【０１４１】
図７（ｅ）の構成の例の鉢増し用部材３は、図７（ｃ）の構成の例の鉢増し用部材３の３枚の略板状材あるいは可撓性のシートが、それぞれ同様に扇の様に係る鋲を回動軸として回動可能に連結されており、係る３枚の略板状材あるいは可撓性のシートは、それぞれ隣の略板状材あるいは可撓性のシートと互いに重複部を備えて、鋲１００で互いに係止された構成の例であり、それぞれ隣合った略板状材あるいは可撓性のシートが、係る鋲１００を回動軸として扇の様に回動可能に設けられており、係る二つの鋲１００にて回動することによって、係る鉢増し用部材３全体としても、扇の様にして開いたり閉じたりすることが可能な構成の例である。
係る鉢増し用部材３は、係る構成とすることによって、係る鉢増し用部材３が、より自由度高く、係る接続辺３１が大きく角度を変えて回動して動くことが可能な構成であり、それによって、植栽容器１３の植栽開口９の形状への対応の自由度も上がり、また、係る略板状材あるいは可撓性のシートの枚数を、更に多く同様に回動可能に設けて連結することによって、例えば、円形の植栽開口９への対応もより、自由度高く可能となる構成とすることもでき、有用である。
また、この様に、複数の略板状材あるいは可撓性のシートにおいて、それぞれ隣合った略板状材あるいは可撓性のシートを係る鋲によって回動開閉可能に係止することによって、係る構成の鉢増し用部材３を１つあるいは２つ以上を隣り合わせて係る植栽開口９に設けた際に、係る下側開口４９の開口部をしっかりと確保できることが可能な構成となり、しっかりと植栽した植物の根が植栽容器内に広がる構成とすることが可能であり、有用である。
【０１４２】
図７（ｆ）及び図７（ｇ）の構成の例の鉢増し用部材３は、略台形の略板状材が、二枚、互いに位置保持係止部７である面ファスナーにて互いにそれぞれの面を対向する様にして着脱可能に係止して設けられる構成の例である。
【０１４３】
図７（ｆ）の構成の例の略板状材は、２枚の略台形の略板状材であり、それぞれの略板状材が、それぞれの面を対向して合わせることによって、それぞれの略板状材に設けられた位置保持係止部７である面ファスナーによって互いに係止して、図７（ｇ）に示される様な一枚の鉢増し用部材３を構成する例である。
【０１４４】
尚、図７（ｆ）の、左側の略板状材には、位置保持係止部７としての面ファスナーが見えている状態であるが、右側の略板状材には、係る略板状材の背面側の見えない側に係る位置保持係止部７である面ファスナーが備えられている構成の例であり、それぞれの略板状材に設けられた位置保持係止部７である面ファスナーによって、互いに係止される構成の例である。
係る構成とすることによって、特に、係る位置保持係止部７を面ファスナーの様に、面で係止可能な面係止部とすることによって、係る複数の略板状材の重複量を、連続的に変化させることが可能である構成であり、係る鉢増し用部材３のサイズを調整可能な構成となり、有用である。
【０１４５】
図７（ｇ）の構成の例の鉢増し用部材３は、図７（ｆ）の構成の例の２枚の略板状材を位置保持係止部７にて互いに係止して、設けた鉢増し用部材３の構成の例である。
図７（ｈ）の構成の例の位置保持係止部７は、図７（ｆ）の構成の例の略板状材と略同形状の台形の略板状材において、係る位置保持係止部７である面ファスナーが、係る略板状材の略上から下まで連続的に設けられており、係る構成とすることによって、係る２枚の略板状材を、傾けて互いに係止して設けることが可能となり、係る略板状材を傾けて設けることが可能であることによって、係る鉢増し用部材３を植栽容器１３に設ける際の倒れ角度３２を変更することが可能となり、また、係る位置保持係止部７のサイズも変更可能な構成となり、様々なサイズの植栽容器１３に様々な倒れ角度３２で、係る鉢増し用部材３を設けることが可能な構成となり、有用である。
【０１４６】
図７（ｉ）及び図７（ｊ）の構成の例の鉢増し用部材３は、２枚の略台形形状の略板状材が、互いにスライド可能であることによって、係る鉢増し用部材３のサイズを変更可能である構成の例である。
図７（ｉ）の状態から、図７（ｊ）の状態へ、係る鉢増し用部材３がスライドして閉じた状態を示している。
係る構成は、左側の略台形の略板状材を、右側の略台形の略板状材が上下で挟み込むようにして、抜け防止部を備えてスライド可能な構成であり、係る構成の説明図が、図７（ｋ）である。
【０１４７】
図７（ｋ）については、図７（ｉ）及び図７（ｊ）の構成の右側の略板状材が、図７（ｋ）においても、同様に右側の略板状材であり、係る右側の略板状材が、上下から、係る左側の略板状材を挟み込むようにして、設けられていることによって、係る右側と左側の略板状材が、互いにスライド可能である構成の例である。
尚、係るスライド可能な構成は、この他にも、一方の略板状材に設けられたスリットを、もう一方のスリットに設けられた凸部を嵌合させて、互いにスライド可能な構成としても良いし、係るスライド構造については、その他、本願発明の特徴的な効果が発揮される範囲において変更することが可能であり、限定しない。
係る鉢増し用部材３が、スライド可能な構成であることによって、係る鉢増し用部材３のサイズの変更が可能となり、様々なサイズの植栽容器１３に対応可能で、有用である。
【０１４８】
また、図７の各図の構成の例の鉢増し用部材３の素材において、可撓性のシートである構成とすることしても良く、係る可撓性のシートである構成については、係る鉢増し用部材３を設ける植栽容器１３の開口部の形状が、略円状であって、係る開口部の形状に沿って設けることが可能な構成となり有用であり、また、係る接続辺３１の角度を変更可能である構成においても、係る略円状の植栽開口９に、倒れ角度３２を調整可能な構成となり、有用である。
【０１４９】
図８の構成の例は、鉢掛部３６である外掛け部３８を備えた鉢増し用部材３の構成の例である。
図８（ａ）の構成の例の鉢増し用部材３が、係る外掛け部３８として、帯紐材３３にフックを備えた構成の例であり、係る帯紐材３３が、係る略台形の鉢増し用部材３に接着等により係止されて設けられており、係る外掛け部３８が、植栽容器１３と着脱可能に係止されることによって、係る植栽容器１３と一体的に設けられることによって係る鉢増し用部材３を引っ張り上げて持ち上げた際に、係る植栽容器１３も持ち上げることが可能な構成であり、有用である。
つまり、万一、係る鉢増し用部材３を持ち上げた際に、誤って係る鉢増し用部材３だけ持ち上がって培養基材３４の培養土等が散らかってしまうという可能性を、減じる効果があり、有用である。
尚、係る鉢増し用部材３は、係る上側の辺に、把手２０を備え、係る把手２０を持って、係る鉢増し用部材３を持ち上げることが可能な構成の例である。
【０１５０】
図８（ｂ）の構成の例は、図８（Ａ）の構成の例の鉢増し用部材３が植栽容器１３に設けられた構成の例であり、係る鉢増し用部材３は、係る植栽容器１３に設けられた状態で、係る外掛け部３８であるフックが、係る植栽容器１３に設けられたリングに引掛けられて設けられた構成の例である。
係る構成とすることによって、係る鉢増し用部材３と係る植栽容器１３を一体的に設けることが可能な構成となり、有用である。
【０１５１】
また、係る植栽容器１３側の係る外掛け部３８の係止部は、係る植栽容器１３の外側でも良いし、内側でも良いし、植栽開口９近傍でも良いし、植栽容器１３の底でも良く、限定しない。
また、図面には示されていないが、係る外掛け部３８を、係る植栽容器１３ではなく、植栽容器１３に設けられた他の鉢カバーに設ける構成としても、同様に係る植栽容器１３と、係る鉢増し用部材３が、係る鉢カバーを介して一体的に設けられる構成となり、また、鉢カバーであれば、係る鉢増し用部材３外掛け部３８を係止する係止部を備える加工も、素材も様々に選択可能であり、植栽容器１３より様々に加工し易く、有用である。
【０１５２】
図８（ｃ）の構成の例は、係る外掛け部３８が、より長い帯紐材３３である構成の例である。
係る外掛け部３８である帯紐材３３は、係る鉢増し用部材３に設けられて、係る鉢増し用部材３の対向する鉢増し用部材３に設けられた外掛け部３８である帯紐材３３と、係る植栽容器１３の底を経由して、互いに設けられた面ファスナーにて係止された構成の例である。
この様に、係る植栽容器１３の底の下を経由して、係る鉢増し用部材３が互いに係止する構成とすることによって、係る鉢増し用部材３を持ち上げても、係る植栽容器１３も一体的に持ち上げることが可能な構成となり、有用である。
【０１５３】
また、係る対向する鉢増し用部材３同士を係止する構成については、互いの鉢増し用部材３に設けられた外掛け部３８同士を係止する構成としても良いし、一方の鉢増し用部材３に設けられた外掛け部３８を、もう一方の鉢増し用部材３に直接係止する構成としても良く、また、対向する鉢増し用部材３同士だけでなく、複数の鉢増し用部材３を係止する構成としても良い。
また、係る互いに係止されている外掛け部３８を外して、係る鉢増し用部材３を引っ張り上げれば、係る鉢増し用部材３に設けられた抜き掛け部５にて、係る植物Ｓを引掛けて引っ張り上げることが可能な構成であり、鉢増し作業等の植え替え作業が楽になり、有用である。
【０１５４】
鉢掛部３６は、鉢増し用部材３に設けられ、係る鉢増し用部材３にて植栽容器１３の上に載置可能であるか、係る植栽容器１３あるいは植栽容器１３に設けた鉢カバーに係止可能であり、Ｚ字のステイでも、コの字のステイでも、Ｌ字のステイでも、その他形状のステイもでも良く、板でも、凸部でも、外掛け部３８でも良く、その他、本願発明の特徴的な効果が発揮される範囲において変更することが可能であり、限定しない。
鉢掛部３６の一種である外掛け部３８は、フックでも良いし、結束でも、面ファスナーでも、自己吸着シートでも、接着でも、溶着でも、リベットでも、ステープラー留めでも、縫製でも、ネジ９３留めでも、ホックでも、フックでも、嵌め合いでも、紐でも、結束バンドでも、掛け金でも、マグネットシートでも、マグネットでもよく、その他、本願発明の特徴的な効果が発揮される範囲において変更することが可能であり、限定しない。
【０１５５】
図８（ｄ）の構成の例は、図８（ｃ）の構成と略同等の外掛け部３８の位置に対応して、係る鉢増し用部材３に把手２０が設けられた構成の例であり、係る把手２０が、係る抜き掛け部５の略裏側、あるいは、係る鉢増し用部材３を、係る植栽容器１３に設けた際に、略係る外掛け部３８である帯紐材３３の鉢増し用部材３との係止部と略鉛直方向に配置される位置に設けられる構成の例である。
図９の構成の例は、鉢増し用部材３が、鉢掛部３６としてのステイを備えた構成の例である。
【０１５６】
図９（ａ）及び図９（ｂ）の構成の例が、係る鉢増し用部材３に鉢掛部３６として、Ｚ字形のステイが設けられ、係るステイにて、係る鉢増し用部材３が係る植栽容器１３の上に載置された構成の例であり、図９（a）が正面図、図９（ｂ）が、縦断面図による説明図である。
係るＺ字形のステイが、係る鉢増し用部材３の外面に設けられた構成の例であり、係るステイが、係る鉢増し用部材３の外面に設けられて係る植栽容器１３の植栽開口９に設けられていることによって、係る植栽開口９に設けられた鉢増し用部材３の安定性が増し、係る鉢増し用部材３の係る植栽容器１３の植栽開口９より下に係る培養基材３４内に埋設される部分が少なくても、係る鉢増し用部材３が安定して係る植栽容器１３の上に設けられることが可能であり、また、係るステイから上の部分が係る植栽容器１３より上の部分として確保可能であり、容易に、追加したいだけの植栽容部１４を設定可能であり、有用である。
【０１５７】
つまり、例えば、係る鉢増し用部材３を厚さのある板等の材を用いた構成とする場合等に、係る植栽容器１３の中に係る鉢増し用部材３が入り込む量が多いと、係る植栽容部１４が容積が小さくなるので、係るステイ等の鉢掛部３６で係る鉢増し用部材３が係る植栽容器１３の中に係る鉢増し用部材３が入り込む量を少なくしても、係る鉢増し用部材３を安定させる構成とすることが可能であり、有用である。
【０１５８】
また、図９（ａ）の構成の例において、係る鉢増し用部材３を形成する略板状材は、図９（ｇ）の構成の例の３枚の略板状材であり、係る略板状材は、２枚の略台形の略板状材に挟まれる様にして、一枚の長方形の略板状材が設けられている構成の例であり、それぞれの略板状材は、位置保持係止部７としての面ファスナーで設けられており、係る面ファスナーは、係るそれぞれの略板状材の側方から飛び出るようにして、係る略板状材の上から下までに渡って設けられていることによって、係る互いの略板状材の間隔をおいて設けても、培養基材３４がこぼれ出ない構成となっており、また、係る鉢増し用部材３全体の幅のサイズ調整は、係る略板状材の間隔量を調整することによって調整可能であり、有用である。
尚、係る真ん中の長方形の略板状材の位置保持係止部７である面ファスナーは、図面には示されていないが、係る材の裏側に設けられているものである。
また、係る３枚の板状材の２枚の略台形の板状材は、３角形の板状材である構成としても良い。
【０１５９】
図９（ｃ）の構成の例は、係る鉢増し用部材３に、支え足１５が備えられた構成の例であり、係る支え足１５は、略Ｌ字形状であり、係る鉢増し用部材３に、面ファスナーによって係止され、係る植栽容器１３に略密着する様にして設けられ、地面に略Ｌ字の曲がった部分の支持基底面２６が地面と接することによって、係る植栽容器１３と、係る鉢増し用部材３を支える構成の例である。
【０１６０】
係る支え足１５が、係る鉢増し用部材３に設けられていることによって、係る鉢増し用部材３の安定性をもたらすと共に、係る植栽容器１３の安定性ももたらし、特に、係る鉢増し用部材３を設けて培養基材３４が収容されて、係る植栽容器１３全体としての重心が高くなって、転倒し易くなった係る植栽容器１３と鉢増し用部材３の安定性をもたらす構成であり、有用である。
また、係る略Ｌ字の曲がりの部分の支持基底面２６を、回動可能に設けて、必要な角度で固定可能な構成とすることによって、係る鉢増し用部材３を設ける植栽容器１３の係る外面の傾斜角度に合わせて、自由に設定可能な支え足１５とすることが可能となり、有用である。
尚、係るＬ字の支え足１５の略最下部付近を、帯紐材３３にて巻いて固定させる構成とすることによって、係る支え足１５の位置をより安定的に保持している構成となっており、有用である。
【０１６１】
図９（ｄ）の構成の例は、図９（ａ）の構成の例の鉢増し用部材３に設けられたＺ字形のステイが、係る鉢増し用部材３の内側に設けられ、係る鉢増し用部材３を、係る植栽容器１３の外側に設けた構成の例の縦断面図であり、図９（ｅ）が、係る構成の例の正面図である。
係るステイを、係る鉢増し用部材３の内側に設けることによって、係る鉢増し用部材３を植栽容器１３に設けた際に、外側からは、係るステイが見えない構成となり、意匠的に見映えも良く、デザインの自由度も上がり有用であり、また、係る鉢増し用部材３を更に下に長い構成とすることによって、係る鉢増し用部材３を、鉢カバーとすることも可能で、夏の地面からの係る植栽容器１３への照り返しや直射日光による鉢蒸れ防止、冬の培養基材３４の凍結による植物Ｓの枯死等も予防可能となり、有用である。
【０１６２】
この様に、係る鉢増し用部材３を植栽容器１３の外側から設ける構成とすることによって、係る植栽容器１３と鉢増し用部材３の隙間から、培養基材３４や潅水した水が外へ漏れ出る可能性もあるので、図面には示されていないが、係る植栽開口９と鉢増し用部材３の間に、シール材として、ゴム材や発泡樹脂やシリコン等を備えた構成としても良いし、係る鉢増し用部材３と植栽容器１３の隙間部分を覆う様にして、可撓性のシートやテープを設けた構成としても良い。
【０１６３】
図９（ｆ）の構成の例は、係る鉢増し用部材３に、支え足１５を備えた構成の例であり、図９（ｃ）の構成の例の支え足１５と同様に、係る鉢増し用部材３に面ファスナーで係る略Ｌ字形の支え足１５を係止して設けた構成の例である。
また、係る略Ｌ字形の支え足１５の安定性向上の為、係る植栽容器１３と略Ｌ字の間の隙間を埋めて、よりしっかりと支える為のボルト９３が、係る支え足１５に設けられており、係るボルト９３の先端を係る植栽容器１３に突き当てることによって、係る支え足１５の安定性を向上させる構成となっている。
また、係る図面には示されていないが、図９（ｃ）の構成の支え足１５と同様に、係るＬ字形の支え足１５の略最下部を、帯紐材３３で巻く構成とすることによって係る支え足１５の安定性を向上する構成としても良い。
係る支え足１５を係る鉢増し用部材３に係止する係止具は、面ファスナーでも良いし、ホックでも、フックでも、嵌め合い部でも、帯紐材３３でも、ベルトでも、マグネットでも、ネジ９３でも良く、その他、本願発明の特徴的な効果が発揮される範囲において変更することが可能であり、限定しない。
【０１６４】
図１０の構成の例は、図９（ｄ）の構成の例の鉢増し用部材３に示される様に、係る植栽容器１３の外側に設けられる構成の例において、係る鉢増し用部材３自体が、支え足１５である構成の例である。
【０１６５】
図１０（ａ）の構成の例の鉢増し用部材３は、図９（ｄ）の様に、Ｚ字形のステイが、係る鉢増し用部材３の内側に設けられ、係る鉢増し用部材３を、係る植栽容器１３の外側に設けた構成の例の縦断面図であり、係る鉢増し用部材３は、略鉛直方向に立った板状材から成り、係る鉢増し用部材３の底部には、略Ｔ字形状の支持基底面２６を備えた構成であり、係る略Ｔ字型の支持基底面２６によって、係る植栽容器１３と鉢増し用部材３を安定して自立させることが可能な構成であり、有用である。
尚、係る支持基底面２６は、略Ｔ字型でも良いし、略Ｌ字形でも良いし、逆Ｙ字状に係る鉢増し用部材３の底部に棒または板状材を備えて、より広い面、あるいはより広い点で係る鉢増し用部材３を支持する構成としても良く、その他、本願発明の特徴的な効果が発揮される範囲において変更することが可能であり、限定しない。
【０１６６】
図１０（ｂ）の構成の例の鉢増し用部材３は、図１０（ａ）の構成の例の略Ｔ字型の支持基底面２６の上に、係る植栽容器１３を載置可能である構成の例であり、係る図１０（ａ）の構成の例の略Ｔ字型の支持基底面２６が、係る植栽容器１３側である内側に長く伸びた構成であることによって、係る植栽容器１３を載置可能となる構成の例である。
【０１６７】
この様に複数の鉢増し用部材３が係止されて１つの鉢増し筒２を形成する構成とすることによって、様々なサイズの植栽容器１３に対応可能な構成となり、有用である。
【０１６８】
係る支持基底面２６の上に、係る植栽容器１３を載置可能である構成であることによって、係る鉢増しユニット１を、係る鉢増し用部材３を持ち上げることによって、係る鉢増しユニット１も合わせて持ち上げて移動可能な構成となり、有用である。
【０１６９】
また、図１０（ｂ）の構成の例の鉢増し用部材３は、係る鉢掛部３６として設けられている、略コの字形のステイの位置を、上下にスライド可能に設けることが可能である構成の例であり、係る構成とすることによって、係る支持基底面２６と鉢掛部３６の距離を変更可能となるので、様々な高さ方向のサイズの植栽容器１３に対応可能な構成であり、有用である。
係る鉢掛部３６のスライド構造は、図１０（ｃ）の構成の例に示されるように、係る鉢増し用部材３に設けられたスリットに、ボルト９３が挿通して設けられており、係るボルト９３の先に設けられたコの字形状の鉢掛部３６であるステイが、上下に移動可能な構成であり、有用である。
また、係る植栽容器１３の植栽開口９と、係る鉢増しユニット１の隙間を埋めるために、係る鉢増し用部材３の内側の面には、係る植栽開口９を覆う様にして、可撓性のシートが設けられている構成となっており、係る植栽開口９と鉢増し用部材３との隙間から、培養基材３４や潅水された水が流れ出るのを防止可能とする構成であり、有用である。
係る鉢増しユニット１は、係る鉢増し用部材３の支持基底面２６と、鉢掛部３６であるステイによって上下からしっかり、がっちりと強固に挟み込まれることによって、より、一体的な構成とすることが可能であり、有用である。
【０１７０】
図１０（ｄ）の構成の例の鉢増しユニット１の鉢増し用部材３は、図１０（ｂ）に示される様に、係る植栽容器１３の底面にて係る鉢増し用部材３の支持基底面２６が、係る植栽容器１３の底に配置されて、係る植栽容器１３の底を保持可能とする構成の例である。
係る鉢増し用部材３の支持基底面２６は、係る鉢増し用部材３の下部に、略Ｌ字形に設けられている構成の例であり、また、係る植栽容器１３の形状も、図１０（ｂ）の例の植栽容器１３が、下側に窄まり形状であるのに対して、図１０（ｄ）の構成の例の植栽容器１３は、略ずん胴形状の略直方体の形状であり構成の例である。
【０１７１】
図１０（ｄ）の構成の例の係る支持基底面２６は、係る植栽容器１３の底面にて、向かい合った支持基底面２６同士が、鉢掛部３６である帯紐材３３にて係止された構成の例である。
係る構成とすることによって、係る鉢増し用部材３の位置を、しっかりと保持可能な構成であり、有用である。
【０１７２】
図１０（ｅ）の構成の例の鉢増しユニット１は、図１０（ｄ）の構成の例の鉢増し用部材３が、スライド可能に設けられている構成の例であり、係るスライド可能に設けられている二つの鉢増し用部材３は、互いに一部を重複して設けられており、係る鉢増し用部材３が互いに重複している重複部が、図１０（ｆ）に示される断面図である。
【０１７３】
図１０（ｆ）の断面図に示される、内側の長方形の形状の断面図を示す鉢増し用部材３は、図１０（ｅ）の例における鉢増し用部材３の左側から重複している鉢増し用部材３であり、図１０（ｆ）の構成の例の外側の略コの字形状の鉢増し用部材３は、図１０（ｅ）の例における鉢増し用部材３の右側から重複している鉢増し用部材３を示しており、係るコの字形状の鉢増し用部材３が係る略長方形の形状の鉢増し用部材３を抱え込む構成であることによって、係る二つの鉢増し用部材３がスライド可能に設けられ、また、係る重複している部分の側方から、ネジ９３にて留めることによって、重複量を保持可能な構成となっている。
【０１７４】
図１０（ｇ）の構成の例の鉢増しユニット１は、係る鉢増しユニット１に設けられた鉢増し用部材３の支持基底面２６に車輪５４を備えた構成の例である。
係る構成とすることによって、鉢増しユニット１の移動が、自由となり、たとえ係る鉢増しユニット１の重量が重い構成であっても、移動が自由である構成とすることが可能であり、且つ、係る鉢増し用部材３は、様々な形状の植栽容器１３のサイズに対応可能であるので、様々なサイズの植栽容器１３の植栽容部１４の容量をアップしながら、移動の自由度の高い鉢増しユニット１を構成することが可能となり、有用である。
【０１７５】
図１０（ｈ）の構成の例が、図１０（ｇ）の構成の例の係る車輪５４を備えた鉢増し用部材３の側面図であり、係る鉢増し用部材３は、図１０（ｃ）の構成の例の鉢増し用部材３と略同等の鉢増し用部材３の支持基底面２６に車輪５４を備えた構成の例であり、係る支持基底面２６が、略Ｌ字形状である構成の例である。
【０１７６】
図１０（ｉ）の構成の例の鉢増しユニット１は、係る車輪５４を備えた支持基底面２６が、係る鉢増し用部材３の下部に、略Ｔ字形状に設けられており、係るＴ字形状の支持基底面２６の係る植栽容器１３の外側にあたる部分に、係る車輪５４が設けられている構成の例である。
この様に、係る車輪５４が、係る植栽容器１３より外側にあたる部分に設けられた構成とすることによって、係る鉢増しユニット１は、より安定的な構成とすることが可能で、係る鉢増し用部材３によって、係る植栽容部１４の容積が上に広がり、係る鉢増しユニット１の重心が高くなった鉢増しユニット１を、より安定的に自立可能で、且つ、移動可能である構成とすることが可能であり、有用である。
また、係る鉢増し用部材３は、鉢掛部３６である帯紐材３３としての結束バンドで係止されることによって、係る鉢増し用部材３が植栽容器１３の下部から外れることを防止し、有用であり、特に、この様に、車輪５４が係る植栽容器１３の真下から外れた位置に設けられた構成であるので、係る鉢掛部３６によって、係る鉢増し用部材３の位置を保持可能とする係る構成は、有用である。
【０１７７】
図１１の構成の例は、図１０の構成の例の鉢増し用部材３が、下窄まりの植栽容器１３に対して、略鉛直方向に自立した鉢増し用部材３の構成の例であるのに対して、図１１（ａ）の構成の例の鉢増し用部材３は、係る植栽容器１３の外形面に密着する様にして設けられた構成の例であり、また、係る鉢増し用部材３の下部には、回動可能に略Ｌ字形状に支持基底面２６を備えた構成の例であり、係る支持基底面２６は、蝶番によって、回動可能に設けられている構成の例である。
係る支持基底面２６が、回動可能に設けられていることによって、係る鉢増し用部材３は、様々な角度の外径面を備えた植栽容器１３に設けることが可能な自由度を備え、有用である。
【０１７８】
また、係る回動可能な支持基底面２６は、適切な任意の一定の角度で保持可能に、例えば、係る蝶番の回動部をネジ９３で締めて固定可能な構成とすることによって、係る鉢増しユニット１の転倒を抑制することが可能であり、有用である。
また、係る回動可能に設けられた支持基底面２６を、図１０の構成の例に示される様に、係る植栽容器１３の下に配置させることが可能な構成としても良いし、また、他の鉢増し用部材３と鉢掛部３６によって、係止することによって、係る回動可能な支持基底面２６の回動を抑制することが可能な構成となり、係る鉢増しユニット１が転倒することを抑制可能な構成とすることが可能であり、有用である。
【０１７９】
また、図１１の各図の構成の例の鉢増しユニット１は、それぞれ植栽容器１３に設けられた鉢増し用部材３に、鉢増し用部材３が設けられた構成の例であり、係る構成とすることによって、一度植栽容器１３が根３５で一杯になって、係る植栽容器１３の植栽容部１４の容積を増して鉢増しした鉢増しユニット１が、更に根３５が一杯になって鉢増しすることが可能な構成であり、有用である。
尚、図１１（ａ）の構成の例が、係る鉢増しユニット１の例において、鉢増し用部材３が２段に設けられた構成の例の縦断面図であり、図１１（ｂ）が係る正面図の例である。
また、図１１（ｃ）の構成の例が、係る鉢増し用部材３が３段に設けられた構成の例である。
【０１８０】
図１２の構成の例は、 鉢増し用部材３が１つからなる構成の例である。
図１２（ａ）の構成の例の植栽容器１３に、図１２（ｄ）の構成の例の 鉢増し用部材３である鉢増し筒２が設けられた構成の例が、図１２（ｂ）の構成の例の鉢増しユニット１である。
【０１８１】
図１２（ｄ）の構成の例の鉢増し筒２は、逆円錐台状の筒状である錐台筒４１であり、上下に開口部を備えて、下側の開口部である下側開口４９が上側の開口部である上側開口１２よりも小さく、係る下側開口４９を、係る植栽容器１３の植栽開口９の内側から植栽容部１４に入れて設けて、係る錐台筒４１の内側には、培養基材３４を収容し、植物Ｓを収容した構成の例である。
【０１８２】
係る錐台筒４１は、錐台形状であるので、様々なサイズの植栽開口９を備えた植栽容器１３に設けることが可能であり、つまりは、様々なサイズの植栽容器１３に植栽された植物Ｓの鉢増しを可能な構成であり、有用であり、また、係る植栽容器１３の開口部より、より広い植栽開口９とすることが可能であり、例えば、係る植栽された植物Ｓより、より多くの植物Ｓを植栽することも可能であり、有用である。  図１２（ｃ）の構成の例の鉢増し筒２は、略筒状の鉢増し筒２である構成の例である。
係る略筒状の鉢増し筒２は、例えば、植栽容器１３の植栽開口９内の奥側に設けることによって、係る植栽容器１３内で、奥側の緑花にも日光を良く当たる様にすることが可能であり、且つ装飾的にも奥側の緑花もよく見えて、有用であり、また、係る植栽容器１３の植栽容部１４の容積を立体的に増やすことが可能である構成となり、より、多くの植物Ｓを植栽することが可能となり、有用である。
また、係る構成とすることによって、係る鉢増し筒２の長さを変更し易い構成であり有用である。
つまり、係る鉢増し筒２を製造する際に、例えば、筒を切断することによって係る鉢増し筒２を製造することが可能な構成であり、有用である。
【０１８３】
図１２（ｅ）の構成の例の鉢増し筒２である鉢増し筒２は、図１２（ｂ）の鉢増しユニット１の縦断面図である。
また、係る錐台筒４１は、図１２（ｆ）の構成の例の様に、係る植栽容器１３に浅めに設けて、係る植栽容器１３の植栽開口９に接触しないようにして、係る植栽容器１３に設ける構成としても良い。
【０１８４】
図１２（ｇ）の構成の例の鉢増し筒２である鉢増し筒２は、錐台筒４１を２段、植栽容器１３に設けた構成の例であり、つまり、例えば、１回目の係る植栽容器１３に植栽された植栽容器１３の植栽容部１４を増加させた鉢増し作業後、更に、もう一度鉢増し作業を実施し、係る大きくなった植物Ｓの根３５を、２回鉢増しした構成の例である。
【０１８５】
図１３の構成の例は、図１２（ｄ）の構成の例に示される鉢増し筒２の外面に、座部９９である凸座掛部９８を備えた構成の例である。
係る凸座掛部９８は、係る鉢増し筒２の外面に設けられた凸部であり、係る凸座掛部９８で、係る植栽容器１３に引掛けて設ける構成の例であり、図１３（ａ）の構成の例が、係る凸座掛部９８を備えた鉢増しユニット１の断面図の例であり、図１３（ｂ）が、係る凸座掛部９８を備えた鉢増し筒２である錐台筒４１の構成の例である。
係る凸座掛部９８は、係る鉢増し筒２の周囲に凸状に設けられており、係る凸座掛部９８が、係る植栽容器１３の植栽開口９の上に載置されて設けられている構成の例である。
この様にして、係る凸座掛部９８が設けられていることによって、係る鉢増し用部材３は、係る凸座掛部９８以上は、係る植栽容器１３の中に挿入されない為、係る 鉢増し用部材３を備える植栽容器１３の植栽開口９のサイズに関わらず、係る植栽容器１３の上に出る係る鉢増し用部材３の量を一定とすることが可能な構成であり、また、図１２（ｆ）の構成の例の様に、植栽開口９に接しない様に、係る鉢増し筒２を備える構成においても、係る 鉢増し用部材３が、係る植栽開口９の縁に支えられて、安定的に保持可能な構成となり、有用である。
尚、係る凸座掛部９８は、係る鉢増し筒２の全周に渡って設けられている構成の例であるが、必ずしも、全周に設けられるべきものではなく、係る鉢増し筒２の外周に、数か所に分けて設けられた構成としても良い。
【０１８６】
図１３（ｃ）の構成の例においては、係る 鉢増し用部材３に、部分的に設けられた凸座掛部９８である構成の例であり、係る凸座掛部９８が、数か所に分けて設けられている構成の例であり、係る凸座掛部９８は、６か所に分けて設けられた構成の例である。
係る凸座掛部９８は、係る錐台筒４１の上下の開口部をそれぞれ水平にして配置した時に、略水平面を備え、斜め方向に設けられた凸部の構成の例である。
この様に、係る凸座掛部９８が、数か所に分けて設けられることによって、係る鉢増し用部材３である錐台筒４１と、係る植栽容器１３の間に隙間を備えた構成となり、係る隙間から、空気の出入りが可能な構成となり、特に、係る鉢増し用部材３を設けて係る鉢増しユニット１の高さが高くなるので、係る植物Ｓの根３５の呼吸をする為の、空気を係る鉢増しユニット１の高さの途中で設けることが可能な構成となり、有用である。
【０１８７】
また、図面には示されていないが、係る鉢増し用部材３である鉢増し筒２と、係る植栽容器１３の間に隙間を備える為の構成として、係る鉢増し筒２の外面に、リブを備えた構成としても良いし、凹溝を備えた構成としても良く、係るリブや凹溝の隙間から、空気が係る植栽容器１３内に入り込む構成としても有用である。
図１３（ｄ）及び図１３（ｅ）の構成の例の鉢増し用部材３においては、係る凸座掛部９８であるリブの端面に、段差を備えた構成の例であり、図１３（ｅ）が、係る構成の鉢増し用部材３の斜視図であり、図１３（ｄ）が、係る構成の鉢増し用部材３を備えた鉢増しユニット１の断面図である。
【０１８８】
図１３（ｅ）の構成の例の鉢増し用部材３である鉢増し筒２には、係る上側の開口部に対して略垂直方向のリブが、係る鉢増し筒２の外面に設けられており、係るリブの端面に、山谷形状の段差を備えた構成の例であり、係る山谷形状の段差が、図１３（ｄ）に示される様に、係る植栽容器１３の植栽開口９に引っ掛かることによって、係る鉢増し筒２が係る植栽容器１３に載置される構成の例である。
【０１８９】
係る構成の例においては、係るリブに設けられた山谷形状の段差は、２段の構成の例であるが、１段でも良いし、２段以上の構成としても良く、また、係る段差は、係る詳細開口に対して略水平な方向に設けられている構成の例であるが、斜め方向でも良いし、波状でも、弧状に曲線の端面である構成としても良く、その他、本願発明の特徴的な効果が発揮される範囲において変更することが可能であり、限定しない。
係るリブを備えて、係るリブに設けられた段差によって、係る鉢増し筒２を保持可能な構成とすることによって、係る植栽容器１３の植栽開口９の径が変わっても、係る鉢増し筒２を一定の高さで、係る植栽容器１３に保持可能な構成となり、有用である。
【０１９０】
また、係る植栽容器１３と鉢増し筒２の間に隙間を備えることが可能な構成となり、係る植栽容器１３内へ、空気を送り込むことが可能な空気穴となり、根３５の呼吸にとっても有用であり、係る植物Ｓが元気に成長し易い植栽容器１３内の環境を保持し易くなり、有用である。
【０１９１】
図１４の構成の例は、鉢増し用部材３が１つからなる構成の例において、図６の構成の例の様に、変曲部３７と座部９９を備えた構成の例である。
図１４（ａ）の構成の例の鉢増し用部材３を備えた鉢増し筒２は、段付きの円錐台形状の構成の例であり、変曲部３７を２つ備え、係る２つの変曲部３７の間が、略水平方向の面である座部９９である構成の鉢増し筒２を植栽容器１３が備えた鉢増しユニット１の例の縦断面図であり、係る略同等の構成の斜視図が、図１４（ｃ）である。
係る鉢増し筒２は、上側と下側の開口部が略円形状であり、係る略水平方向の座部９９で、係る植栽容器１３の略円形の植栽開口９に載置して設けられた構成の鉢増しユニット１の例である。
係る構成とすることによって、係る鉢増し筒２は、係る植栽容器１３のサイズが、様々なサイズであっても対応可能な構成となり有用であり、また、係る植栽容器１３の植栽開口９が、四角であっても、その他多角形であっても、異形であっても係る植栽容器１３に係る鉢増し筒２を設けることが可能な構成となり、有用である。
特に、この様に係る座部９９が略水平方向に備えられた構成の鉢増し筒２においては、係る植栽容器１３の植栽開口９の形状に関わらず、係る植栽開口９が略水平方向に開口している一般的な植栽容器１３であれば、係る略水平方向に備えられた鉢増し筒２の座部９９が係る植栽開口９に載置可能にフィットして設けることが可能であるので、係る鉢増し筒２をより安定的に設けることが可能であり、有用である。
【０１９２】
図１4（ｂ）の構成の例の鉢増し用部材３である鉢増しユニット１は、係る座部９９の面が斜め上方方向に向かって備えられた構成の鉢増し筒２が、略円形の植栽開口９を備えた植栽容器１３に設けられた構成の例の縦断面図である。
係る、座部９９が、上方に向かって斜めであることによって、係る植栽容器１３の植栽開口９を、内側から押し広げるようにして係る植栽開口９に嵌り込むようにして設けられる構成であり、係る植栽開口９が押し広げられる様にして係る鉢増し筒２が設けられる為、より係る鉢増し筒２と植栽容器１３が一体的な構成とすることが可能であり、有用である。
また、係る植栽容器１３のサイズも、様々に対応可能な構成であり自由度が高く有用である。
【０１９３】
但し、係る構成の鉢増し筒２においては、係る鉢増し筒２を設ける植栽容器１３の植栽開口９と、係る鉢増し筒２の形状が、同じような形状でないと、係る鉢増し筒２と係る植栽開口９が、係る植栽開口９の略全体の開口部でしっかりと保持するのが難しい点があり、つまり、係る鉢増し筒２が略円形である場合は、係る植栽容器１３の植栽開口９も略円形であることが望ましく、また、係る鉢増し筒２の形状が、略正方形である構成においては、係る植栽容器１３の植栽開口９も、略正方形である構成で組み合わせることが、より、安定的に係る鉢増しユニット１を構成可能な構成となり、有用である。
尚、係る座部９９の斜度は、限定しない。
【０１９４】
図１４（ｃ）が、図１４（ａ）と同等の構成の例の斜視図である。
図１４（ｄ）の構成の例の鉢増し用部材３である鉢増しユニット１は、係る座部９９の面が斜め下方方向に向かって備えられた構成の鉢増し筒２が、略円形の植栽開口９を備えた植栽容器１３に設けられた構成の例の縦断面図である。
係る、座部９９が、下方に向かって斜めであることによって、係る植栽容器１３の植栽開口９を、外側から押込むようにして係る植栽開口９に嵌り込むようにして設けられる構成であり、係る植栽開口９が押し込まれる様にして係る鉢増し筒２が設けられる為、より係る鉢増し筒２と植栽容器１３が一体的な構成とすることが可能であり、有用である。
また、係る植栽容器１３のサイズも、様々に対応可能な構成であり自由度が高く有用である。
【０１９５】
図１４（ｅ）の構成の例の鉢増し用部材３である鉢増しユニット１は、図１４（ａ）の構成の例の鉢増し筒２の略水平方向の座部９９に、ずれ防止のリブであるずれ防止部９６が備えられている構成の例である。
係る、ずれ防止のリブは、係る植栽開口９の外側に配置される様に設けられており、係る鉢増し筒２が、ずれそうになった際に、係るずれ防止部９６が、係るずれ防止部９６と干渉することによって、係る鉢増し筒２がずれ難い構成となっている。
係るずれ防止部９６は、係る鉢増し筒２の周に沿って、全周に備えられている構成としても良いし、係る座部９９の数か所に分かれて設けられている構成としても良く、また、係るずれ防止部９６は、一列でなく、２列でも良いし、２列以上である構成としても良く、限定しない。
【０１９６】
尚、図１４（ｅ）の構成の例においては、係るずれ防止リブは、２列に設けられている構成の例であり、係る構成であることによって、植栽開口９のサイズの違う植栽容器１３に、対応可能である構成の例であり、有用である。
【０１９７】
図１４（ｆ）の構成の例の鉢増し用部材３である鉢増しユニット１は、係る鉢増し筒２の座部９９が、弧状の曲面である構成の例である。
係る鉢増し筒２は、上側の変曲部３７が、略弧状の曲面であり、係る曲面にて係る植栽容器１３に係る鉢増し筒２が載置または嵌り込むことによって、係る鉢増し筒２が係る植栽容器１３に設けられている構成の例である。
係る構成の鉢増し筒２においても、係る構成とすることによって、意匠的に柔らかいデザインとすることが可能であり、意匠的デザインの自由度が増すとともに、角が略無いので、足などをぶつけても、あるいは子供がぶつけても怪我等し難い形状とすることが可能であり、有用である。
【０１９８】
また、図１４（ｂ）の構成の例の鉢増し筒２と同様に、係る座部９９が斜め上方に傾斜していることによって、係る植栽容器１３の植栽開口９を、内側から押し広げるようにして係る植栽開口９に嵌り込むようにして設けられる構成であり、係る植栽開口９が押し広げられる様にして係る鉢増し筒２が設けられる為、より係る鉢増し筒２と植栽容器１３が一体的な構成とすることが可能であり、有用である。
係る変曲部３７を備えた鉢増し筒２は、上側開口１２の方が下側開口４９より広い構成であり、略錘台筒４１であるといえる。
【０１９９】
図１５は、図１２（ｄ）の構成の例の錐台筒４１が、略扇形あるいは中心に穴を備えた略円形の可撓性のシートから構成される鉢増し用部材３の例である。
図１５（ａ）及び図１５（ｂ）は、係る鉢増し用部材３の形状の例であり、係る鉢増し用部材３は、本図の以下の説明に関する円錐台形状の錐台筒４１の展開形状である錐台展開４２を示している。
図１５（ａ）は略円状の部分円型の中心部に部分円状の穴が設けられており、係る外円である外形縁４７が係る錐台筒４１の植栽開口９を構成し、内側の部分円の穴の円周が、係る錐台筒４１の下側の開口部を構成するものであり、係る植栽開口９が、下側の開口部より径が大きい構成の例である。係る錐台展開４２の隙辺２７を互いに係止することによって、図１２（ｄ）に示される、錐台筒４１を構成することが可能となるものである。尚、図面には示していないが、係る部分円状は、円状として係る中央の穴から、外形縁４７まで、切り込みを設けた構成としても良く、係る切り込みにて形成された隙辺２７から、係る構成ピース１９の一部を互いに重複させて係止することによって、係る錐台筒４１を構成する仕様としても良い。また、係る錐台筒４１あるいは錐台展開４２の構成は、筒状の構成である、筒状体４８あるいは、係る筒状体４８の展開形状を成す展開部材である、筒状展開においても、同様の構成としても良い。
【０２００】
図１５（ｂ）の係る鉢増し用部材３である錐台展開４２は、円の略中央に、穴が設けられている構成として、係る穴から、外形を形成する外形縁４７まで折り込みを入れて係止する、タック加工をする構成とすることによって、錐台筒４１を構成する仕様の例である。
尚、係る図１５（ａ）及び図１５（ｂ）の錐台展開４２における隙辺２７あるいは隙辺２７から鉢増し用部材３を部分的に重複させて係止させる構成あるいは、タック加工にて係止させる重複係止する構成であり、また、係る係止部２０である重複係止部４３を、着脱可能に係止することによって、また、係る重ね合わせ量を変えることが可能である構成とすることによって、係る錐台筒４１の外径や、倒れ角度３２を自由に調整することが可能となり、有用である。
尚、係る図１５（ｂ）の錐台展開４２は、図１６（ｃ）に示される様な、隙間を備えた略錐台筒４１が、係る重複係止部４３を備えた構成としても良い。
【０２０１】
図１５（ａ） 及び図１５（ｂ）の市松模様の部分が、重複して係止可能な重複係止部４３である。
係る重複係止部４３は、縫製でも溶着でもステープラでもリベットでも紐でも面ファスナーでもファスナーでもボタンでもホックでもビス止めでもクリップでも磁石でもベルトでも良く、その他、本願発明の特徴的な効果が発揮される範囲において変更することを可能であり、限定しない。
また、図１５（ｂ）の構成の例の鉢増し用部材３は、図１６（ｄ）の構成の例の鉢増し用部材３の様に、係る略扇形の複数の鉢増し用部材３を係る重複係止部４３にて、連結する構成としても、係る鉢増し用部材３が対応する植栽容器１３のサイズの幅が広がり、有用である。
【０２０２】
尚、図１５（a）あるいは図１５（ｂ）の構成の例の様に、係る略扇形形状または真ん中に穴を備えたドーナツ型形状の鉢増し用部材３とすることによって、係る鉢増し用部材３が、略植栽開口９が水平の錐台筒４１を形成することが可能であり、有用である。
【０２０３】
図１６の構成の例は、１つの鉢増し用部材３から成る鉢増し筒２を構成する鉢増し用部材３のバリエーションの構成の例であり、いずれも、径の調整が可能な鉢増し筒２の構成の例である。
図１６（ａ）の構成の例の鉢増し筒２は、一部を重複した状態の略錐台筒４１状の鉢増し用部材３の例であり、係る鉢増し用部材３は、上側の開口部から下側の開口部にかけて、摺動可能な重複部を備えた切れ込み部により形成される隙辺２７を備えている構成の例の上面図である。
係る構成とすることによって、係る鉢増し筒２は、係る重複部で係る略錐台形状の錐台筒４１の径や、倒れ角度３２を調整可能な錐台筒４１を形成することが可能な構成とすることができるものである。
【０２０４】
つまり、係る重複部を備えた錐台筒４１を植栽容器１３の植栽開口９に設置した際に、係る植栽開口９のサイズに合わせたサイズに、係る鉢増し筒２である錐台筒４１の重複部を摺動させて径を合わせることが可能であり、また、係る鉢増し筒２の内側には、培養基材３４と植物Ｓが収容されていることによって、係る径は、例えば、係る植栽開口９のサイズに合わせて保持される構成の例であり、様々な植栽容器１３の植栽開口９のサイズに合わせて、調整可能な鉢増し筒２を形成可能な構成であり、有用である。
【０２０５】
尚、係る錐台筒４１は、図面には示されていないが、図１２（ｄ）の構成の例の錐台筒４１に、図１６（ｅ）の構成の例の鉢増し筒２の様に、スリットを備えることによって、係る錐台筒４１のサイズに対して、小さいサイズの植栽容器１３に対しても、係る倒れ角度３２の調整可能に、設けることが可能であり、有用である。
また、係る鉢増し用部材３より植栽開口９が大きい植栽容器１３に係る鉢増し用部材３を設ける際には、図１６（ｄ）の構成の例のように、２つの鉢増し用部材３を組み合わせて１つの錐台筒４１を形成することが可能であり、有用である。
図１６（ｂ）の構成の例の鉢増し筒２は、一部を重複した状態の略筒状の鉢増し用部材３の例であり、係る鉢増し用部材３は、上側の開口部から下側の開口部にかけて、摺動可能な重複部を備えた切れ込み部による隙辺２７を備えている構成の例の上面図である。
【０２０６】
係る鉢増し用部材３である筒状体４８においても、係る筒状体４８の植栽開口９を、下側の開口部より大きく開いた構成とすることも可能であり、係る構成においては、図１６（ａ）の構成の例の鉢増し用部材３の様に、錐台筒４１に似た構成とすることも可能であり、有用である。
但し、係る略筒状体４８から植栽開口９側を開いた略錐台筒４１においては、係る植栽開口９を略水平に保持される状態は、略直管状の筒状である状態であり、係る植栽開口９側の開口部を開いていくことによって、係る植栽開口９の水平度は、高さ違いの部分が大きくなっていく構成である。
【０２０７】
図１６（ｃ）の構成の例の鉢増し筒２は、錐台筒４１形状の鉢増し用部材３が、隙間を備えた錐台筒４１である部分錘台４０の構成の例の斜視図である。
係る錐台筒４１は、例えば、図１６（ｄ）の構成の例の様に、２つが互いの隙間を埋め合う様にして、重複して設けることが可能な構成の例である。
係る構成とすることによって、係る鉢増し用部材３から形成される錐台筒４１が対応可能な植栽容器１３の植栽開口９のサイズの幅が大きく広がり、有用な構成である。  
【０２０８】
図１６（ｄ）の構成の例の鉢増し用部材３は、図１６（ｃ）の構成の例の鉢増し用部材３である部分錘台４０と略同等の構成の例の鉢増し用部材３が、係る隙間を向かい合った状態で配置されている状態を示しており、係る２つの鉢増し用部材３を、係る互いの隙間を塞ぐ様にして、互いの鉢増し用部材３が重複することによって、係る錐台筒４１が形成される構成とする為に、係る互いの隙間を、互いの隙間ではない部分で塞ぎながら一つの錐台筒４１を構成する為の例である。
部分錘台４０は、隙間を備えた錐台筒４１である。
また、隙間を備えた筒状体４８は、部分筒である。
【０２０９】
図１６（ｅ）の構成の例の鉢増し用部材３は、略筒状の鉢増し用部材３の上側の開口部から下側の開口部にかけて、切れ込み部を備えた構成の例である。
係る切れ込み部を備えた鉢増し用部材３である鉢増し筒２を、植栽容器１３の植栽開口９に備え、係る鉢増し筒２の外径より小さい植栽開口９を備えた植栽容器１３に対しては、係る鉢増し筒２の切れ込み部を重複させる構成とすることによって、対応可能な構成であり、また、係る鉢増し筒２の径より大きい植栽開口９を備えた植栽容器１３に対しては、係る鉢増し筒２を図１６（ｄ）の構成の例の様に、複数の鉢増し筒２を合わせて設ける構成とすることによって、対応可能な構成の例であり、有用である。
【０２１０】
また、係る鉢増し筒２を複数合わせて設けることによって、係る鉢増し筒２を、倒れ角度３２を備えて、斜めに設けた際に、複数の鉢増し用部材３によって構成される植栽開口９の水平方向からの高さ違いを、小さくすることが可能である構成であり、つまり、ある円形状の植栽開口９を備えた植栽容器１３に、１つの係る鉢増し用部材３で倒れ角度３２を備えて設けると、係る植栽開口９の高さ違いの段差が大きくなるが、複数の係る鉢増し用部材３を備えることによって、係る高さの違いを小さくすることが可能な構成となり、有用である。
【０２１１】
係る切れ込み部を備えた前記鉢増し用部材３の素材については、弾性素材、または塑性素材、または可撓性素材から成り、前記切れ込み部の隙間の広さまたは重なり度合いを調整可能であるものである。
【０２１２】
隙辺２７は、中央に穴を備えた略部分円状の錐台展開４２の、係る中央の穴から、外形縁４７まで、設けられた隙間あるいは切り込みによって形成される辺であるか、または、筒状体の上側開口１２から下側開口４９に渡って設けられた切り込みまたは隙間によって形成される係る鉢増し用部材３の辺である。
【０２１３】
図１７の構成の例は、係る鉢増し用部材３が、係る植栽容器１３に、回動可能またはスライド可能に設けられている構成の鉢増しユニット１の構成の例の縦断面図である。
図１７（ａ）の構成の例の鉢増しユニット１は、係る植栽容器１３に設けられた鉢増し用部材３を、係る植栽開口９に回動可能に設けられた構成の例であり、係る回動可能に設けられた鉢増し用部材３が、開いた状態の植栽容器１３に、係る植物Ｓが植栽された構成の例である。
【０２１４】
図１７（ｂ）の構成の例の鉢増しユニット１は、図１７（ａ）の構成の例の鉢増しユニット１において、係る回動可能に設けられた鉢増し用部材３が、上に上がり閉じた構成の例であり、係る鉢増し用部材３の内側に、培養基材３４が収容されて、鉢増しされた構成の例である。
係る鉢増し用部材３は、上に上げられた状態において、例えば掛け金で留められることによって、係る上に上げられた状態を保持可能な構成の例である。
係る、鉢増し用部材３が上に上げられた状態を保持可能とする構成は、掛け金でも良いし、棒を縦方向の閂の様に設ける構成でも良いし、係る上に上げられた鉢増し用部材３の周囲を、帯紐材３３で巻いて保持する構成としても良く、その他、本願発明の特徴的な効果が発揮される範囲において変更することが可能であり、限定しない。
【０２１５】
この様に、係る鉢増し用部材３が、この様に回動可能に設けられていることによって、係る鉢増し用部材３の保管場所に困ることが無く、必要な時に、必要なサイズの鉢増し用部材３を、すぐに係る植栽容器１３に設けることが可能な構成であり、有用である。
【０２１６】
図１７（ｃ）の構成の例の鉢増しユニット１は、図１７（ｂ）の構成の例の鉢増しユニット１において、係る鉢増し用部材３の形状が、略台形である構成の例であり、図１（ｃ）あるいは図１（ｄ）の構成の例に示されるように、係る鉢増し用部材３の形状が、略台形の形状であることによって、係る鉢増し用部材３によって形成される植栽開口９を、係る植栽容器１３の植栽開口９のサイズより、大きくすることが可能な構成であり、有用である。
【０２１７】
図１７（ｄ）の構成の例の鉢増しユニット１は、係る鉢増し用部材３が、係る植栽容器１３にスライド可能に設けられた構成の例であり、係る、鉢増し用部材３が、係る植栽容器１３の植栽開口９の外側の下側に下げた状態で設けられた構成の例であり、係る植栽容器１３に、植物Ｓが植栽された構成の例である。
【０２１８】
図１７（ｅ）の構成の例の鉢増しユニット１が、図１７（ｄ）の構成の例の鉢増しユニット１のスライド可能に設けられた鉢増し用部材３が上に上げられて鉢増しされた構成の例であり、係る鉢増し用部材３の内側に、培養基材３４が収容されて、植物Ｓが植栽された構成の例である。
係る構成の例においては、係る鉢増し用部材３が、スライドのガイドであるスライドガイド９７の内側にスライド可能に保持され、必要に応じて、係るスライド可能な鉢増し用部材３を上に上げて鉢増し可能な構成の例である。
【０２１９】
係るスライド可能な構成の例によっては、係るスライド量によって、係る鉢増しの量を調節可能な構成であり、植栽する植物Ｓの根３５の深さに合わせて、係る鉢増し量を吊設することが可能であり、また、例えば、係る植栽容器１３で白ネギ等の植物Ｓを植栽する場合において、係るねぎの成長に合わせて、係る鉢増し用部材３の高さを上げていき、培養基材３４を足していくことによって、白ネギを栽培することが可能な構成となり、有用である。
【０２２０】
尚、係る鉢増し用部材３は、係るスライドガイド９７に設けられたネジ９３によって、係る位置を保持可能な構成の例となっており、係る鉢増し用部材３を保持する構成は、ネジ９３でも、ブレーキでも、掛け金でも良く、その他、本願発明の特徴的な効果が発揮される範囲において変更することが可能であり、限定しない。
スライドガイド９７は、例えば、略コの字型の支持材が係る植栽容器１３に設けられて、係るコの字形状の内側において、係る鉢増し用部材３を保持する構成の例であり、係るスライドガイド９７の構成は、その他、本願発明の特徴的な効果が発揮される範囲において変更することが可能であり、限定しない。
【０２２１】
図１８の構成の例は、係る鉢増し用部材３が、水溜め容部８を備えた構成の例である。
図１８（ａ）の構成の例の鉢増し用部材３は、係る水溜め容部８を備えた構成の例の鉢増し用部材３の構成の例の正面図である。
係る、水溜め容部８は、係る台形の鉢増し用部材３の平行な辺の短辺側の辺に、受け形状の容部として設けられた構成の例であり、係る受け形状の容部が、水溜め容部８となり、潅水された水が、溜まる構造の容器状の形状をした部分である。
【０２２２】
図１８（ｂ）の構成の例が、係る鉢増し用部材３を植栽容器１３に設けた縦断面図の構成の例の鉢増しユニット１であり、説明上、植栽された植物Ｓは省略してある図であるが、潅水された水が、係る水溜め容部８に溜まることによって、係る土の保水力の代わりとなる構成の例である。
特に、この様な植栽容器１３の場合、地植えと比較して、培養基材３４の乾燥は早く、保水力が足りなくなるので、この様に係る鉢増し用部材３が水溜め容部８を備えることは有用な構成であり、特に、水を好む植物Ｓや、暫く旅行等で家を留守にする様な場合においては、係る鉢増し用部材３が水溜め容部８を備えることによって、培養基材３４の乾燥を遅らせることが可能となり、有用である。
【０２２３】
尚、以下、一連の本図の実施の形態において、
鉢増し用部材３は、植栽容器に植栽された植物Ｓの根が一杯になった際等に、植栽容器１３の容積を増やす為の部材であり、係る鉢増し用部材３は、植栽容器１３の植栽開口９、または植栽容器１３に収容された培養基材３４に設けられ、植栽容器１３、または植栽容器１３に収容された培養基材３４に設けられた状態で、鉢増し用部材３は、上側と下側に開口部を備えた鉢増し筒２を形成するか、または鉢増し筒２であり、係る鉢増し筒２は、１つの鉢増し用部材３、または２以上の鉢増し用部材３を組み合わせて形成し、前記植栽容器１３の開口部である植栽開口９より上に、前記鉢増し用部材３の上側の開口部が出た状態で設けられ、係る鉢増し筒２の内側には、培養基材３４が保持可能となる構成の部材であり、
鉢増し用部材３の素材は、ポリプロピレンやポリアミドなどの合成樹脂でも良いし、発泡性の樹脂やゴムでも良いし、ガラスや陶磁器でも良いし、木でも、各種ゴムでも、鉄やアルミニウム等の金属でも、カーボンでも良く、また、可とう性を有した素材でもよく、テント生地やメッシュ生地等の布状部材、他各種繊維素材、各種ゴムやエラストマー樹脂や各種樹脂シート製、綿、麻等の天然素材、紙製、マグネットシート、金属メッシュ等金属、また、色も透明、蛍光、光っても良く、弾性素材でも、塑性素材でも、可撓性素材でも良く、その他、必要に応じた強度、機能を有し、本発明と同一の作用効果を発揮できる範囲内でその素材を限定しない。
【０２２４】
また、鉢増し用部材３の形状も、多角形、ハート形、星形、丸、楕円、半球状、あるいは部分球状等の曲面状、その他異形でも、長さ、大きさ違いの組み合わせ違いでもよく、その形状を限定せず、また、厚さも、本発明と同一の作用効果を発揮できる範囲内で限定しない。
【０２２５】
また、各図において、説明している内容において、あくまでも、説明の一例としてそれぞれの、鉢増し用部材３の構成の例で説明しているにすぎず、それぞれの構成において、互いの構成において、互換的に変更して応用可能である。
【０２２６】
帯紐材３３は、可撓性のある長尺な部材であり、可撓性のシートからなる帯状材でも、紐でも、ロープでも、ベルトでも、面ファスナーでも、ワイヤーでも良く、その他、本願発明の特徴的な作用、効果が発揮される範囲において変更することが可能であり、限定しない。
【０２２７】
鉢増し筒２は１つまたは２つ以上の鉢増し用部材３から成る、上側と下側に開口部を備えた形状の構成部材であり、植栽容器１３の植栽開口９に備えられて、係る植栽開口９の位置を上に上げる構成の部材である。
【０２２８】
また、図面には示されていないが、下側開口あるいは上側開口の形状は、円形の穴でも、方形の穴でも、ハート型の穴でも、その他異形でも良く、限定しない。
【産業上の利用可能性】
【０２２９】
本願発明は、植栽容器に植栽された植物の鉢増し作業の効率化と、コスト削減、廃棄物の削減、植栽の自由度が高く、魅力的な発明品であり、産業上利用可能性は極めて高いと思慮されるものである。
【符号の説明】
【０２３０】
１  鉢増しユニット
２   鉢増し筒
３   鉢増し用部材
５   抜き掛け部
６   抜き掛け材
７  位置保持係止部
８  水溜め容部
９  植栽開口
１２  上側開口
１３  植栽容器
１４  植栽容部
１５  支え足
２０  把手
２２  芯材
２３  折り部
２４  鉢増し足
２６  支持基底面
２７  隙辺
３１  接続辺
３２  倒れ角度
３３  帯紐材
３４    培養基材  
３５  根 
３６  鉢掛部
３７  変曲部
３８  外掛け部
４０  部分錘台
４１  錐台筒
４２  錐台展開
４３  重複係止部
４７  外形縁
４８  筒状体
４９  下側開口
５４    車輪
９３  ネジ・ボルト
９４  下開口辺
９５  上開口辺
９６  ずれ防止部
９７  スライドガイド
９８  凸座掛部        
９９  座部
１００  鋲
Ｓ    植物
【要約】
【課題】植栽容器が根で一杯になった植物の鉢増し作業の容易さと自由度を高めると共に、コストダウンを図れ、廃棄物を減らし、また、植栽容器を載置するスペースに合わせた植栽スペースと植栽アレンジの自由度を高めることが可能な器具と、植栽ユニットを提供する。
【解決手段】鉢増し用部材は、植栽容器、または前記植栽容器に収容された培養基材に設けられ、前記植栽容器、または前記植栽容器に収容された培養基材に設けられた状態で、前記鉢増し用部材は、上側と下側に開口部を備えた鉢増し筒を形成するか、または鉢増し筒であり、前記鉢増し筒は、１つの鉢増し用部材、または２以上の鉢増し用部材を組み合わせて形成し、前記植栽容器の開口部である植栽開口より上に、前記鉢増し用部材の上側の開口部が出た状態で設けられ、前記鉢増し筒の内側には、培養基材が保持可能である構成とした。
【選択図】図１【図１】
0006981721.tif 000002
【図２】
0006981721.tif 000003
【図３】
0006981721.tif 000004
【図４】
0006981721.tif 000005
【図５】
0006981721.tif 000006
【図６】
0006981721.tif 000007
【図７】
0006981721.tif 000008
【図８】
0006981721.tif 000009
【図９】
0006981721.tif 000010
【図１０】
0006981721.tif 000011
【図１１】
0006981721.tif 000012
【図１２】
0006981721.tif 000013
【図１３】
0006981721.tif 000014
【図１４】
0006981721.tif 000015
【図１５】
0006981721.tif 000016
【図１６】
0006981721.tif 000017
【図１７】
0006981721.tif 000018
【図１８】
0006981721.tif 000019